(57)【特許請求の範囲】
【請求項１】
コンテンツから、その部分コンテンツを取得して再生するコンテンツ再生装置であって、
前記コンテンツの再生時間軸上で動的に変化する判断基準を生成する基準生成手段と、
前記コンテンツを、前記判断基準と照合して部分コンテンツを取得する部分コンテンツ取得手段とを備え、
前記コンテンツは、再生時間軸上で動的に変化する特性値を有し、且つ複数の区間にて分けられ、
前記判断基準は、閾値群であり、
前記各区間のそれぞれは、前記閾値群に含まれる閾値と対応付けられ、
前記部分コンテンツ取得手段は、
前記コンテンツについて、特性値と、前記特性値をもつ区間に対応する閾値とを比較し、前記特性値が前記閾値を超える場合に、その区間に存するコンテンツ片を特性コンテンツとして取得し、比較及び取得の動作を各区間に対して行い、取得した１以上のコンテンツ片から前記部分コンテンツを生成する
ことを特徴とするコンテンツ再生装置。
【請求項２】
前記基準生成手段は、各区間のそれぞれに対して閾値を決定する閾値生成関数を用いて、前記閾値群を生成し、
前記部分コンテンツ取得手段は、区間ごとに、前記特性値と、前記閾値生成関数にて決定された閾値とを比較する
ことを特徴とする請求項１に記載のコンテンツ再生装置。
【請求項３】
前記閾値生成関数は、前記再生時間軸に対して一部の定義域で単調増加及び／又は単調減少の性質を有し、
前記基準生成手段は、前記閾値群に含まれる閾値を、前記閾値生成関数に、前記再生時間軸上における前記区間の再生時間を入力値として代入して算出し、算出の動作を各区間に対して行い、算出した各閾値からなる前記閾値群を生成し、
前記部分コンテンツ取得手段は、区間ごとに、前記特性値と、前記閾値生成関数を用いて算出された閾値とを比較する
ことを特徴とする請求項２に記載のコンテンツ再生装置。
【請求項４】
前記部分コンテンツ取得手段は、
前記部分コンテンツの再生時間として、予め定められた基準時間内を記憶しており、取得した前記１以上のコンテンツ片の総再生時間長が前記基準時間を下回るか否かを判定し、下回ると判定する場合に、取得した１以上のコンテンツ片を取得順に並べて前記部分コンテンツを生成する
ことを特徴とする請求項３に記載のコンテンツ再生装置。
【請求項５】
前記基準生成手段は、一次関数で表される前記閾値生成関数を有しており、
前記コンテンツ再生装置は、さらに、
前記部分コンテンツ取得手段にて前記総再生時間長が前記基準時間を上回ると判定される場合、前記基準生成手段に対して前記一次関数における比例定数及び／又は切片の値を増加させて前記閾値生成関数を変更させ、前記部分コンテンツ取得手段に対して、変更された閾値生成関数を用いて１以上のコンテンツ片を取得させ、取得した１以上のコンテンツ片の総再生時間長が前記基準時間を下回るまで、前記基準生成手段に対して定数増加の動作と、前記部分コンテンツ取得手段に対して１以上のコンテンツ片の取得の動作とを繰り返すように制御する制御手段
を備えることを特徴とする請求項４に記載のコンテンツ再生装置。
【請求項６】
前記特性値は、対応する区間の視聴価値を示す重要度であり、
前記閾値は、対応する区間の視聴を許容する下限値を示し、
前記部分コンテンツ取得手段は、
区間ごとに、当該区間に対応する前記重要度と、閾値とを比較する
ことを特徴とする請求項３に記載のコンテンツ再生装置。
【請求項７】
前記コンテンツに対して、前記コンテンツに含まれる各区間の視聴率が計測されており、
前記重要度は、対応する区間において計測された視聴率の計測結果に基づいて、視聴率が高いほど、高い値を持つよう予め設定され、
前記部分コンテンツ取得手段は、
視聴率に基づく前記重要度と、前記閾値とを比較する
ことを特徴とする請求項６に記載のコンテンツ再生装置。
【請求項８】
前記コンテンツは、少なくとも動画像を含み、
前記重要度は、対応する区間において字幕が出現する期間に基づいて、字幕が出現する時間が長いほど、値が高くなるよう予め設定され、
前記部分コンテンツ取得手段は、
字幕の出現期間に基づく前記重要度と、前記閾値とを比較する
ことを特徴とする請求項６に記載のコンテンツ再生装置。
【請求項９】
前記重要度は、視聴するユーザの嗜好に応じて、ユーザの嗜好度が高いほど、値が高くなるよう予め設定され、
前記部分コンテンツ取得手段は、
ユーザの嗜好度に基づく前記重要度と、前記閾値とを比較する
ことを特徴とする請求項６に記載のコンテンツ再生装置。
【請求項１０】
前記コンテンツは、少なくとも動画像を含み、
前記ユーザの嗜好度は、対応する区間において所定の出演者が登場する時間長に応じた値であり、登場時間が長いほど、前記重要度の値が高くなるよう予め設定され、
前記部分コンテンツ取得手段は、
前記所定の出演者の登場時間に基づく前記重要度と、前記閾値とを比較する
ことを特徴とする請求項９に記載のコンテンツ再生装置。
【請求項１１】
前記コンテンツは、少なくとも音声を含み、
前記特性値は、対応する区間の音声レベルであり、
前記区間は、規定値以上の音声レベルを有し、所定時間長を有するせりふ区間であり、
前記部分コンテンツ取得手段は、前記せりふ区間の音声レベルと、前記閾値とを比較する
ことを特徴とする請求項３に記載のコンテンツ再生装置。
【請求項１２】
前記コンテンツは、現時点までに放送され、相互に関連する１シリーズの複数の番組コンテンツからなり、
前記各番組コンテンツのそれぞれが、複数の区間にて分けられ、
前記閾値生成関数は、前記複数の番組コンテンツの放送がなされた順に、閾値が低くなるように変化する単調減少の性質を有し、
前記部分コンテンツ取得手段は、番組コンテンツに含まれる区間が有する特性値と、前記閾値生成関数を用いて算出された閾値とを比較する
ことを特徴とする請求項３に記載のコンテンツ再生装置。
【請求項１３】
前記部分コンテンツ取得手段は、
前記複数の番組コンテンツのうち、ユーザが視聴した番組コンテンツを示す視聴履歴を予め記憶しており、前記視聴履歴に基づいて、前記複数の番組コンテンツのうち、未視聴である番組コンテンツが存在するか否かを判断し、存在する判断する場合、未視聴である前記番組コンテンツに含まれる複数の区間のそれぞれが有する特性値が大きくなるよう変更し、変更した各特性値のそれぞれと、変更した各特性値に対応する閾値とを比較する
ことを特徴とする請求項１２に記載のコンテンツ再生装置。
【請求項１４】
部分コンテンツの取得方法には複数の種類があり、
前記コンテンツ再生装置は、さらに、
前記複数種類のうち１の種類の指定をユーザから受け付ける受付手段と、
前記複数の種類のそれぞれに対応する閾値生成関数を予め記憶している関数記憶手段と、
前記受付手段にて受け付けた前記１の種類に基づいて、閾値を生成する閾値生成関数を選択する関数選択手段とを備え、
前記基準生成手段は、前記関数選択手段にて選択された閾値生成関数を用いて、前記閾値群を生成する
ことを特徴とする請求項３に記載のコンテンツ再生装置。
【請求項１５】
前記各区間は、複数ユーザのそれぞれの嗜好に応じた特性値を有し、
前記受付手段は、さらに、前記部分コンテンツの視聴を所望する複数のユーザのそれぞれに割り当てられたユーザ識別子を受け付け、
前記部分コンテンツ取得手段は、
前記複数のユーザのそれぞれに割り当てられ、各区間のそれぞれが有し当該ユーザに対する特性値を含むユーザプロファイルを、前記コンテンツと対応付けて予め記憶しており、前記受付手段にて受け付けた前記各ユーザ識別子のそれぞれに対応するユーザプロファイルを取得し、取得した各ユーザプロファイルに基づき、各ユーザの共通嗜好に応じ、各区間ごとに対応する共通特性値を含む共通プロファイルを生成し、生成した共通プロファイルに含まれる各共通特性値を、各区間が有する特性値として、各特性値のそれぞれに対応する前記閾値とを比較する
ことを特徴とする請求項１４に記載のコンテンツ再生装置。
【請求項１６】
前記特性値は、対応する区間の視聴価値を示す重要度であり、
前記共通特性値は、対応する区間の視聴価値を示し、かつ各ユーザの共通嗜好に応じた共通重要度であり、
前記部分コンテンツ取得手段は、
区間に対応する各重要度のそれぞれを入力値とする重要度算出関数を用いて、区間に対応する共通特性値を算出する
ことを特徴とする請求項１５に記載のコンテンツ再生装置。
【請求項１７】
前記重要度算出関数は、入力された各重要度の総和を算出する
ことを特徴とする請求項１６に記載のコンテンツ再生装置。
【請求項１８】
前記部分コンテンツ取得手段は、
共通重要度が高い順に、対応する区間に存するコンテンツ片をつなぎあわせて前記部分コンテンツを生成する
ことを特徴とする請求項１６に記載のコンテンツ再生装置。
【請求項１９】
前記コンテンツ再生装置は、他のコンテンツ再生装置とネットワークにより接続されており、
前記コンテンツ再生装置は、さらに、
前記部分コンテンツを、前記ネットワークを介して、前記他のコンテンツ再生装置へ送信する送信手段
を備えることを特徴とする請求項１６に記載のコンテンツ再生装置。
【請求項２０】
前記ネットワークは、ホームネットワークである
ことを特徴とする請求項１９に記載のコンテンツ再生装置。
【請求項２１】
前記コンテンツ再生装置は、さらに、
前記コンテンツの候補となる１以上の記録コンテンツを予め記憶しているコンテンツ記憶手段と、
前記コンテンツの候補である１以上の記録コンテンツから１つの記録コンテンツを選択し、選択した記録コンテンツを前記コンテンツとするコンテンツ選択手段と
を備えることを特徴とする請求項１５に記載のコンテンツ再生装置。
【請求項２２】
前記コンテンツ記憶手段は、複数の記録コンテンツを記憶しており、
前記コンテンツ再生装置は、さらに、
各ユーザそれぞれに対して、視聴した番組コンテンツを示す視聴履歴を予め記憶している視聴履歴記憶手段を備え、
前記コンテンツ選択手段は、前記各視聴履歴に基づいて、前記コンテンツ記憶手段にて記憶している複数の記録コンテンツから、少なくとも１ユーザが未視聴である１の記録コンテンツを選択する
ことを特徴とする請求項２１に記載のコンテンツ再生装置。
【請求項２３】
前記各ユーザプロファイルは、さらに、対応するユーザの年齢を含み、
前記コンテンツ記憶手段は、複数の記録コンテンツを記憶しており、
前記複数の記録コンテンツのうち少なくとも１の記録コンテンツは、所定の年齢以下のユーザによる視聴を禁止するペアレンタルロックが付与されており、
前記コンテンツ再生装置は、さらに、
前記各ユーザプロファイルに含まれる前記ユーザの年齢に基づき、ペアレンタルロックが付与されている記録コンテンツの視聴を許可するか否かを判定する判定手段を備え、
前記コンテンツ選択手段は、不許可であると判定する場合に、当該記録コンテンツを、前記コンテンツの候補から除外して、残りの記録コンテンツから１の記録コンテンツを選択し、許可すると判定する場合に、当該記録コンテンツを含む複数の記録コンテンツから１の記録コンテンツを選択する
ことを特徴とする請求項２１に記載のコンテンツ再生装置。
【請求項２４】
コンテンツから、その部分コンテンツを取得して再生するコンテンツ再生装置で用いられる部分コンテンツ取得方法であって、
前記コンテンツの再生時間軸上で動的に変化する判断基準を生成する基準生成ステップと、
前記コンテンツを、前記判断基準と照合して部分コンテンツを取得する部分コンテンツ取得ステップとを含み、
前記コンテンツは、再生時間軸上で動的に変化する特性値を有し、且つ複数の区間にて分けられ、
前記判断基準は、閾値群であり、
前記各区間のそれぞれは、前記閾値群に含まれる閾値と対応付けられ、
前記部分コンテンツ取得ステップは、
前記コンテンツについて、特性値と、前記特性値をもつ区間に対応する閾値とを比較し、前記特性値が前記閾値を超える場合に、その区間に存するコンテンツ片を特性コンテンツとして取得し、比較及び取得の動作を各区間に対して行い、取得した１以上のコンテンツ片から前記部分コンテンツを生成する
ことを特徴とする部分コンテンツ取得方法。
【請求項２５】
コンテンツから、その部分コンテンツを取得して再生するコンテンツ再生装置で用いられる部分コンテンツ取得用のコンピュータプログラムであって、
前記コンテンツの再生時間軸上で動的に変化する判断基準を生成する基準生成ステップと、
前記コンテンツを、前記判断基準と照合して部分コンテンツを取得する部分コンテンツ取得ステップとを含み、
前記コンテンツは、再生時間軸上で動的に変化する特性値を有し、且つ複数の区間にて分けられ、
前記判断基準は、閾値群であり、
前記各区間のそれぞれは、前記閾値群に含まれる閾値と対応付けられ、
前記部分コンテンツ取得ステップは、
前記コンテンツについて、特性値と、前記特性値をもつ区間に対応する閾値とを比較し、前記特性値が前記閾値を超える場合に、その区間に存するコンテンツ片を特性コンテンツとして取得し、比較及び取得の動作を各区間に対して行い、取得した１以上のコンテンツ片から前記部分コンテンツを生成する
ことを特徴とするコンピュータプログラム。
【請求項２６】
前記コンピュータプログラムは、
コンピュータ読み取り可能な記録媒体に記録されている
ことを特徴とする請求項２５に記載のコンピュータプログラム。
【発明の詳細な説明】
【技術分野】
【０００１】
本発明は、コンテンツの再生を行う再生装置であって、特に、コンテンツの内容を効率的に把握するための技術に関する。
【背景技術】
【０００２】
近年の録画再生装置の傾向として、ユーザの視聴支援を目的とした諸機能の充実が挙げられる。その一つとして、動画コンテンツのダイジェスト映像を作成し、再生する機能がある。ダイジェストとは、動画コンテンツ本来の再生時間を短時間にまとめることを言い、ダイジェスト映像とは短時間にまとめられた映像を言う。この機能を利用すると、例えば、二時間の映画を五分や十分に短縮して視聴することができる。
【０００３】
ダイジェスト映像の作成方法としては次に挙げる方法が用いられている。縦軸に音声の強度や視聴率等の特徴量をとり、横軸を再生時間軸とする二次元グラフにおいて、閾値を再生時間軸に水平に取り、特徴量が閾値を上回る区間を要約映像で使用する区間と判断し、それらの区間を連結した合計時間が、所定の基準時間を下回るように閾値を変化させていく。このように合計時間に応じて閾値を変化させるというフィードバック制御の考え方が従来のダイジェスト映像の作成技術の根幹である。
【発明の開示】
【発明が解決しようとする課題】
【０００４】
ところで、一口にダイジェスト映像といってもユーザが希望するダイジェスト映像は個人毎に異なっているといえる。あるユーザは動画コンテンツのクライマックスを短時間で知りたいと希望しているだろうし、また別のユーザはそのようなクライマックスは伏せたままで、その動画コンテンツの概要を知りたいと希望しているかもしれない。しかし、従来のダイジェスト映像の作成方法では、所定の基準時間に収めることしか考慮されておらず、ユーザの希望に応じた動画コンテンツのダイジェスト映像が作成されるわけではない。なぜなら、再生時間軸に水平である閾値というのは、全ての対象において重み付けが均一という状態と言えるので、動画コンテンツの全ての対象から均一的にデータを取得し、取得したデータからダイジェスト映像を作成するためである。そのために、連続ドラマのクライマックスを楽しみにしているユーザにクライマックスを見せて興ざめを招くことが起こりうる。逆に、連続ドラマについて、予備知識を豊富に有したユーザに、ダイジェスト再生と称して重複視聴を強要するケースも起こりうる。
【０００５】
そのため、意に反したダイジェスト映像の視聴が強要されれば、ユーザがダイジェスト映像の再生機能の利用を避ける事態が発生しかねない。そうすると、ダイジェスト映像の再生機能は存在意義を失う。
本発明は、上記に鑑みてなされたものであって、変化のある取得方法により、コンテンツから部分コンテンツを取得し再生するコンテンツ再生装置、部分コンテンツ取得方法及び部分コンテンツ取得用のコンピュータプログラムを提供することを目的とする。
【課題を解決するための手段】
【０００６】
上記目的を達成するために、本発明は、コンテンツから、その部分コンテンツを取得して再生するコンテンツ再生装置であって、前記コンテンツの再生時間軸上で動的に変化する判断基準を生成する基準生成手段と、前記コンテンツを、前記判断基準と照合して部分コンテンツを取得する部分コンテンツ取得手段とを備えることを特徴とする。
【発明の効果】
【０００７】
上記に示した構成によると、コンテンツ再生装置は、基準生成手段にて生成された判断基準が動的に変化するので、変化のある取得方法により部分コンテンツを取得することができる。
ここで、前記コンテンツは、再生時間軸上で動的に変化する特性値を有し、前記判断基準は、閾値群であり、前記部分コンテンツ取得手段は、前記コンテンツから、前記特性値が前記閾値群に含まれる１の閾値を超えるごとに、１の特性コンテンツを取得して、取得した１以上の特性コンテンツから前記部分コンテンツを生成するとしてもよい。
【０００８】
この構成によると、コンテンツ再生装置は、閾値群を用いて取得した１以上の特性コンテンツから部分コンテンツを取得することができる。これにより、ユーザは、動的に変化する閾値を越える特性値を有する特性コンテンツから生成された部分コンテンツを視聴するので、コンテンツを効率良く視聴することができる。
ここで、前記コンテンツは、複数の区間にて分けられ、前記各区間のそれぞれは、前記閾値群に含まれる閾値と対応付けられ、前記部分コンテンツ取得手段は、特性値と、前記特性値をもつ区間に対応する閾値とを比較し、前記特性値が前記閾値を超える場合に、その区間に存するコンテンツ片を特性コンテンツとして取得し、比較及び取得の動作を各区間に対して行い、取得した１以上のコンテンツ片から前記部分コンテンツを生成するとしてもよい。
【０００９】
この構成によると、コンテンツ再生装置は、閾値を超える区間の存するコンテンツ片を１以上取得し、取得した１以上のコンテンツ片から部分コンテンツを生成することができる。ユーザが視聴したい区間に対して、当該区間が有する特性値よりも小さくなるよう閾値を設定することにより、コンテンツ再生装置は、ユーザが所望する区間に存するコンテンツ片を取得し、部分コンテンツに含むことができる。
【００１０】
ここで、前記基準生成手段は、各区間のそれぞれに対して閾値を決定する閾値生成関数を用いて、前記閾値群を生成し、前記部分コンテンツ取得手段は、区間ごとに、前記特性値と、前記閾値生成関数にて決定された閾値とを比較するとしてもよい。
この構成によると、コンテンツ再生装置は、閾値生成関数により決定された各閾値からなる閾値群を生成することができる。
【００１１】
ここで、前記閾値生成関数は、前記再生時間軸に対して一部の定義域で単調増加及び／又は単調減少の性質を有し、前記基準生成手段は、前記閾値群に含まれる閾値を、前記閾値生成関数に、前記再生時間軸上における前記区間の再生時間を入力値として代入して算出し、算出の動作を各区間に対して行い、算出した各閾値からなる前記閾値群を生成し、前記部分コンテンツ取得手段は、区間ごとに、前記特性値と、前記閾値生成関数を用いて算出された閾値とを比較するとしてもよい。
【００１２】
この構成によると、コンテンツ再生装置は、閾値生成関数を用いることにより、閾値を算出することができる。例えば、閾値生成関数が単調増加の性質のみをもつ場合には、コンテンツを対象とする再生時間軸上において再生開始直後の閾値は低い値であり、再生時間が進むにつれて閾値が大きくなる。これにより、コンテンツ再生装置が生成する部分コンテンツは、主にコンテンツの前半部分に含まれる１以上の区間のそれぞれに存するコンテンツ片からなる。これは、コンテンツの前半部分を主に視聴したいユーザにとって、効果的である。また、例えば、閾値生成関数が単調減少の性質のみをもつ場合には、コンテンツ再生装置が生成する部分コンテンツは、主にコンテンツの後半部分に含まれる１以上の区間のそれぞれに存するコンテンツ片からなる。これは、コンテンツの後半部分を主に視聴したいユーザにとって、効果的である。
【００１３】
ここで、前記部分コンテンツ取得手段は、前記部分コンテンツの再生時間として、予め定められた基準時間内を記憶しており、取得した前記１以上のコンテンツ片の総再生時間長が前記基準時間を下回るか否かを判定し、下回ると判定する場合に、取得した１以上のコンテンツ片を取得順に並べて前記部分コンテンツを生成するとしてもよい。
この構成によると、コンテンツ再生装置は、再生時間が基準時間内からなる部分コンテンツを生成することができる。
【００１４】
ここで、前記基準生成手段は、一次関数で表される前記閾値生成関数を有しており、前記コンテンツ再生装置は、さらに、前記部分コンテンツ取得手段にて前記総再生時間長が前記基準時間を上回ると判定される場合、前記基準生成手段に対して前記一次関数における比例定数及び／又は切片の値を増加させて前記閾値生成関数を変更させ、前記部分コンテンツ取得手段に対して、変更された閾値生成関数を用いて１以上のコンテンツ片を取得させ、取得した１以上のコンテンツ片の総再生時間長が前記基準時間を下回るまで、前記基準生成手段に対して定数増加の動作と、前記部分コンテンツ取得手段に対して１以上のコンテンツ片の取得の動作とを繰り返すように制御する制御手段を備えるとしてもよい。
【００１５】
この構成によると、コンテンツ再生装置は、閾値生成関数を変更して、生成する部分コンテンツの再生時間が基準時間内となるようにすることができる。
ここで、前記特性値は、対応する区間の視聴価値を示す重要度であり、前記閾値は、対応する区間の視聴を許容する下限値を示し、前記部分コンテンツ取得手段は、区間ごとに、当該区間に対応する前記重要度と、閾値とを比較するとしてもよい。
【００１６】
この構成によると、コンテンツ再生装置は、区間における重要度と、閾値とを比較することにより部分コンテンツを生成することができる。これにより、コンテンツ再生装置は、閾値を超える重要度をもつ１以上の区間のそれぞれに存するコンテンツ片から部分コンテンツを生成することができる。
ここで、前記コンテンツに対して、前記コンテンツに含まれる各区間の視聴率が計測されており、前記重要度は、対応する区間において計測された視聴率の計測結果に基づいて、視聴率が高いほど、高い値を持つよう予め設定され、前記部分コンテンツ取得手段は、視聴率に基づく前記重要度と、前記閾値とを比較するとしてもよい。
【００１７】
この構成によると、コンテンツ再生装置は、閾値を超える、視聴率に基づく重要度をもつ１以上の区間のそれぞれに存するコンテンツ片から部分コンテンツを生成することができる。
ここで、前記コンテンツは、少なくとも動画像を含み、前記重要度は、対応する区間において字幕が出現する期間に基づいて、字幕が出現する時間が長いほど、値が高くなるよう予め設定され、前記部分コンテンツ取得手段は、字幕の出現期間に基づく前記重要度と、前記閾値とを比較するとしてもよい。
【００１８】
この構成によると、コンテンツ再生装置は、閾値を超える、字幕の出現期間に基づく重要度をもつ１以上の区間のそれぞれに存するコンテンツ片から部分コンテンツを生成することができる。
ここで、前記重要度は、視聴するユーザの嗜好に応じて、ユーザの嗜好度が高いほど、値が高くなるよう予め設定され、前記部分コンテンツ取得手段は、ユーザの嗜好度に基づく前記重要度と、前記閾値とを比較するとしてもよい。
【００１９】
この構成によると、コンテンツ再生装置は、閾値を超える、ユーザの嗜好度に基づく重要度をもつ１以上の区間のそれぞれに存するコンテンツ片から部分コンテンツを生成することができる。
ここで、前記コンテンツは、少なくとも動画像を含み、前記ユーザの嗜好度は、対応する区間において所定の出演者が登場する時間長に応じた値であり、登場時間が長いほど、前記重要度の値が高くなるよう予め設定され、前記部分コンテンツ取得手段は、前記所定の出演者の登場時間に基づく前記重要度と、前記閾値とを比較するとしてもよい。
【００２０】
この構成によると、コンテンツ再生装置は、閾値を超える、所定の出演者の登場時間に基づく重要度をもつ１以上の区間のそれぞれに存するコンテンツ片から部分コンテンツを生成することができる。
ここで、前記コンテンツは、少なくとも音声を含み、前記特性値は、対応する区間の音声レベルであり、前記区間は、規定値以上の音声レベルを有し、所定時間長を有するせりふ区間であり、前記部分コンテンツ取得手段は、前記せりふ区間の音声レベルと、前記閾値とを比較するとしてもよい。
【００２１】
この構成によると、コンテンツ再生装置は、閾値を超える音声レベルを有する１以上の区間のそれぞれに存するコンテンツ片から部分コンテンツを生成することができる。
ここで、前記コンテンツは、現時点までに放送され、相互に関連する１シリーズの複数の番組コンテンツからなり、前記各番組コンテンツのそれぞれが、複数の区間にて分けられ、前記閾値生成関数は、前記複数の番組コンテンツの放送がなされた順に、閾値が低くなるように変化する単調減少の性質を有し、前記部分コンテンツ取得手段は、番組コンテンツに含まれる区間が有する特性値と、前記閾値生成関数を用いて算出された閾値とを比較するとしてもよい。
【００２２】
この構成によると、放送された複数の番組コンテンツのうち、最近に放送された番組コンテンツに対する閾値が低くなり、コンテンツ再生装置は、最近に放送された番組コンテンツに含まれる１以上の区間のそれぞれに存するコンテンツ片を主に含む部分コンテンツを生成することができる。これにより、ユーザは、次に放送される番組コンテンツを視聴する前に、これまでに放送された複数の番組コンテンツのあらすじを確認することができる。
【００２３】
ここで、前記部分コンテンツ取得手段は、前記複数の番組コンテンツのうち、ユーザが視聴した番組コンテンツを示す視聴履歴を予め記憶しており、前記視聴履歴に基づいて、前記複数の番組コンテンツのうち、未視聴である番組コンテンツが存在するか否かを判断し、存在する判断する場合、未視聴である前記番組コンテンツに含まれる複数の区間のそれぞれが有する特性値が大きくなるよう変更し、変更した各特性値のそれぞれと、変更した各特性値に対応する閾値とを比較するとしてもよい。
【００２４】
この構成によると、コンテンツ再生装置は、視聴履歴を用いて、未視聴である番組コンテンツが存在する場合には、その番組コンテンツに含まれる複数の区間のそれぞれが有する特性値が大きくなるように変更することができる。これにより、コンテンツ再生装置は、主に未視聴である番組コンテンツに含まれる１以上の区間のそれぞれに存するコンテンツ片から部分コンテンツを生成することができる。
【００２５】
ここで、部分コンテンツの取得方法には複数の種類があり、前記コンテンツ再生装置は、さらに、前記複数種類のうち１の種類の指定をユーザから受け付ける受付手段と、前記複数の種類のそれぞれに対応する閾値生成関数を予め記憶している関数記憶手段と、前記受付手段にて受け付けた前記１の種類に基づいて、閾値を生成する閾値生成関数を選択する関数選択手段とを備え、前記基準生成手段は、前記関数選択手段にて選択された閾値生成関数を用いて、前記閾値群を生成するとしてもよい。
【００２６】
この構成によると、コンテンツ再生装置は、複数の取得方法の種類から、ユーザより受け付けた１種類に基づいて、閾値生成関数を選択することできる。これにより、コンテンツ再生装置は、選択された閾値生成関数を用いて、ユーザが所望する取得方法により部分コンテンツを生成することができる。つまり、ユーザにとっては、視聴目的に応じた部分コンテンツを視聴することができる。
【００２７】
ここで、前記各区間は、複数ユーザのそれぞれの嗜好に応じた特性値を有し、前記受付手段は、さらに、前記部分コンテンツの視聴を所望する複数のユーザのそれぞれに割り当てられたユーザ識別子を受け付け、前記部分コンテンツ取得手段は、前記複数のユーザのそれぞれに割り当てられ、各区間のそれぞれが有し当該ユーザに対する特性値を含むユーザプロファイルを、前記コンテンツと対応付けて予め記憶しており、前記受付手段にて受け付けた前記各ユーザ識別子のそれぞれに対応するユーザプロファイルを取得し、取得した各ユーザプロファイルに基づき、各ユーザの共通嗜好に応じ、各区間ごとに対応する共通特性値を含む共通プロファイルを生成し、生成した共通プロファイルに含まれる各共通特性値を、各区間が有する特性値として、各特性値のそれぞれに対応する前記閾値とを比較するとしてもよい。
【００２８】
この構成によると、コンテンツ再生装置は、複数ユーザの共通嗜好に応じた複数の共通特性値と、各共通特性値に対応する閾値とを用いて、複数のユーザの共通嗜好に応じた１以上の区間のそれぞれに存するコンテンツ片を主に含む部分コンテンツを生成することができる。
ここで、前記特性値は、対応する区間の視聴価値を示す重要度であり、前記共通特性値は、対応する区間の視聴価値を示し、かつ各ユーザの共通嗜好に応じた共通重要度であり、前記部分コンテンツ取得手段は、区間に対応する各重要度のそれぞれを入力値とする重要度算出関数を用いて、区間に対応する共通特性値を算出するとしてもよい。
【００２９】
この構成によると、コンテンツ再生装置は、重要度算出関数を用いて複数ユーザの共通嗜好に対して共通重要度を算出するので、複数のユーザの共通嗜好に応じた１以上の区間のそれぞれに存するコンテンツ片を主に含む部分コンテンツを生成することができる。
ここで、前記重要度算出関数は、入力された各重要度の総和を算出するとしてもよい。
この構成によると、コンテンツ再生装置は、算出される共通重要度を、区間に対応する各重要度の総和とすることができる。
【００３０】
ここで、前記部分コンテンツ取得手段は、共通重要度が高い順に、対応する区間に存するコンテンツ片をつなぎあわせて前記部分コンテンツを生成するとしてもよい。
この構成によると、コンテンツ再生装置は、共通重要度が高い順に、対応する区間をつなぎあわせて部分コンテンツを生成するので、共通重要度の高い区間に存するコンテンツ片から順に再生することができる。
【００３１】
ここで、前記コンテンツ再生装置は、他のコンテンツ再生装置とネットワークにより接続されており、前記コンテンツ再生装置は、さらに、前記部分コンテンツを、前記ネットワークを介して、前記他のコンテンツ再生装置へ送信する送信手段を備えるとしてもよい。
この構成によると、コンテンツ再生装置は、ネットワーク接続された他のコンテンツ再生装置へ、部分コンテンツを送信することができる。これにより、他のコンテンツ再生装置は、受け取った部分コンテンツを再生することができる。
【００３２】
ここで、前記ネットワークは、ホームネットワークであるとしてもよい。
この構成によると、コンテンツ再生装置は、ホームネットワークを介して、他のコンテンツ再生装置へ、部分コンテンツを送信することができる。
ここで、前記コンテンツ再生装置は、さらに、前記コンテンツの候補となる１以上の記録コンテンツを予め記憶しているコンテンツ記憶手段と、前記コンテンツの候補である１以上の記録コンテンツから１つの記録コンテンツを選択し、選択した記録コンテンツを前記コンテンツとするコンテンツ選択手段とを備えるとしてもよい。
【００３３】
この構成によると、コンテンツ再生装置は、複数の記録コンテンツのうち、１の記録コンテンツから部分コンテンツを生成することがきる。
ここで、前記コンテンツ記憶手段は、複数の記録コンテンツを記憶しており、前記コンテンツ再生装置は、さらに、各ユーザそれぞれに対して、視聴した番組コンテンツを示す視聴履歴を予め記憶している視聴履歴記憶手段を備え、前記コンテンツ選択手段は、前記各視聴履歴に基づいて、前記コンテンツ記憶手段にて記憶している複数の記録コンテンツから、少なくとも１ユーザが未視聴である１の記録コンテンツを選択するとしてもよい。
【００３４】
この構成によると、コンテンツ再生装置は、未視聴である記録コンテンツから部分コンテンツを生成することができる。
ここで、前記各ユーザプロファイルは、さらに、対応するユーザの年齢を含み、前記コンテンツ記憶手段は、複数の記録コンテンツを記憶しており、前記複数の記録コンテンツのうち少なくとも１の記録コンテンツは、所定の年齢以下のユーザによる視聴を禁止するペアレンタルロックが付与されており、前記コンテンツ再生装置は、さらに、前記各ユーザプロファイルに含まれる前記ユーザの年齢に基づき、ペアレンタルロックが付与されている記録コンテンツの視聴を許可するか否かを判定する判定手段を備え、前記コンテンツ選択手段は、不許可であると判定する場合に、当該記録コンテンツを、前記コンテンツの候補から除外して、残りの記録コンテンツから１の記録コンテンツを選択し、許可すると判定する場合に、当該記録コンテンツを含む複数の記録コンテンツから１の記録コンテンツを選択するとしてもよい。
【００３５】
この構成によると、コンテンツ再生装置は、ペアレンタルロックにより視聴が不許可となった記録コンテンツを、部分コンテンツ生成の対象から除外することができる。これにより、コンテンツ再生装置は、所定の年齢以下であるユーザに視聴させたくない記録コンテンツの部分コンテンツを、当該ユーザに視聴させないようにすることができる。
【発明を実施するための最良の形態】
【００３６】
１．第１の実施の形態
本発明に係る録画再生装置１００の第１の実施の形態について、図面を参照しながら説明する。図１は本発明に係る録画再生装置１００の内部構成を示す図である。
録画再生装置１００は図１に示すように、チューナ１、ＣＰＵ２、ＲＯＭ３、ＲＡＭ４、ＭＰＥＧエンコーダ５、ＭＰＥＧデコーダ６、操作指示装置９、音声映像記憶部１０及び有音検出部１１から構成される。
【００３７】
＜チューナ１＞
チューナ１は番組の受信処理を行う。アナログ放送の場合は番組を受信すると音声信号を有音検出部１１に出力する。デジタル放送の場合は、音声映像記憶部１０より番組データを読み出し、ＭＰＥＧデコーダ６によりアナログ形式の番組に変換した後に、音声信号を有音検出部１１に出力する。映像信号に関しては表示制御部１９によって、ナビ画面や情報画面が重畳される。これにより、チューナ１やＭＰＥＧデコーダ６から出力された番組の映像に、録画予約やプログラムナビ等の操作画面を重ね合わせて表示することができる。
【００３８】
＜ＣＰＵ２、ＲＯＭ３及びＲＡＭ４＞
ＣＰＵ２、ＲＯＭ３及びＲＡＭ４はコンピュータシステムを構成しており、ＲＯＭ３に格納されたプログラムがＣＰＵ２に読み込まれプログラムとハードウェア資源とが協働することにより機能を達成する。
＜ＭＰＥＧエンコーダ５＞
ＭＰＥＧエンコーダ５は受信した番組をＡ／Ｄ変換し、さらにＭＰＥＧ２形式に従って圧縮符号化し、ＭＰＥＧ２形式の番組に変換する。
【００３９】
＜ＭＰＥＧデコーダ６＞
ＭＰＥＧデコーダ６は圧縮符号化された番組データを復号し、さらにＤ／Ａ変換を施してアナログ形式の番組に変換する。
＜操作指示装置９＞
操作指示装置９は録画、特殊再生等に関する指示をユーザから受け付ける。ここで、特殊再生とは、録画時間よりも短い時間内で、録画した番組の一部である音声映像を再生することである。なお、特殊再生にて再生される音声映像は、音声と動画像とからなるコンテンツである。
【００４０】
図２に操作指示装置９の一例であるリモートコントローラのボタン配置例を示し、録画再生装置１００のボタン操作に対する動作概略を説明する。なお、図２は録画再生装置１００を操作するために必要なボタン配置部分のみを示している。リモートコントローラは録画予約キー２１、プログラムナビキー２２、決定キー２３、方向キー２４を備える。録画再生装置１００には、「録画予約モード」、「プログラムナビモード」、等の動作モードがある。録画予約モードは録画したい番組の放送チャンネルや開始時刻、終了時刻と特殊再生に使用する映像作成の要否、特殊再生の種類などを入力するモードである。録画予約ボタンを押下することでこのモードに移行する。プログラムナビモードはプログラムナビの一覧を表示するモードである。プログラムナビボタンを押下することでこのモードに移行する。上ボタン２５、下ボタン２６、左ボタン２７、右ボタン２８及び決定キー２３は録画予約モード及びプログラムナビモードにおいて、予約情報の入力や視聴希望番組の選択などの操作に用いられる。
【００４１】
＜音声映像記憶部１０＞
音声映像記憶部１０はＨＤ７ａ、ＤＶＤ７ｂ、ＢＤ７ｃ及びＳＤメモリカード８から構成される。ＨＤ７ａ、ＤＶＤ７ｂ、ＢＤ７ｃ、ＳＤメモリカード８は番組の読み書きを行う。読み書きには、バスを通じてＭＰＥＧエンコーダ５から転送されてくる番組をＨＤ７ａ、ＤＶＤ７ｂ、ＢＤ７ｃ及びＳＤメモリカード８に書き込む処理や、ＨＤ７ａ、ＤＶＤ７ｂ、ＢＤ７ｃ及びＳＤメモリカード８に記録されている番組を読み出してバスに転送する処理がある。また、ＤＶＤ７ｂは着脱可能な記録媒体であって、具体的には、ＤＶＤ−ＲＡＭ、ＤＶＤ−ＲＷ、ＤＶＤ＋ＲＷなどの書き換え可能なＤＶＤ、及びＤＶＤ−Ｒ、ＤＶＤ＋Ｒなどの書込み可能なＤＶＤを用いることができる。
【００４２】
＜有音検出部１１＞
有音検出部１１は入力された音声信号から有音区間と無音区間を検出し、せりふ区間作成部１３に出力する。
以上が録画再生装置１００のハードウェア構成である。続いて、アプリケーション部２０について説明する。
【００４３】
＜アプリケーション部２０＞
アプリケーション部２０はアプリケーションプログラムとハードウェアとが協働した具体的手段であり、図１に示すように、録画予約制御部１２と、せりふ区間作成部１３と、せりふ区間記憶部１４と、再生区間選択部１５と、再生部１６と、閾値決定部１７と、ユーザ指示取得部１８と、表示制御部１９とを備える。
【００４４】
＜録画予約制御部１２＞
録画予約制御部１２は録画予約に関する一連の処理に関する制御を行う。
＜せりふ区間作成部１３＞
せりふ区間作成部１３は有音区間と無音区間に分けられた音声信号からせりふ区間を取得する。せりふ区間にはＢＧＭが流れている区間は含まないものとし、純粋にせりふだけの区間を取得する。まず、せりふ区間を取得する前にＣＭ区間を除去する。ＣＭ区間は１５秒、３０秒、４５秒など一定間隔毎に無音区間が出現する特徴があるので、一定区間毎に無音区間が出現すると、その区間をＣＭ区間と判断し除外する。次に、ＢＧＭとせりふが重なっている区間については有音の長さが比較的長い特徴があるので、有音区間の長さが一定時間より長ければＢＧＭとせりふが重なっている区間と判断し、また一定時間より短いと効果音と判断し、それぞれ除外する。これにより、一定区間を有するせりふのみを取得できる。そして、それらを特殊再生にて用いる再生区間の候補とし、せりふ区間の始点、終点の時間とせりふ区間の特徴量をせりふ区間リスト３１として作成する。図３にせりふ区間リスト３１の一例を示す。なお、具体的なせりふ区間の取得手順については後で述べる。
【００４５】
＜せりふ区間記憶部１４＞
せりふ区間記憶部１４は作成されたせりふ区間リスト３１を記憶する。
＜再生区間選択部１５＞
再生区間選択部１５は入力されたせりふ区間リスト３１と閾値関数を用いて、特殊再生にて再生される映像（以降では、ダイジェスト映像という。）で使用するせりふ区間を選択する。図４は再生区間の選択の一例を示す図である。ｘ軸が再生時間でｙ軸が音声の強度である。図３のせりふ区間リスト３１のデータをグラフ上に表示すると図４の長方形の部分となる。また、図中の一次関数（ｙ＝ａｘ＋ｂ、ｙ＝ｃｘ＋ｄ）が閾値を求めるための関数である。ここで、特殊再生の種類には、検索目的再生と、要約目的再生とがあり、検索目的再生とは、録画した複数の番組のうち視聴したい番組を検索するための特殊再生であり、要約目的再生とは、録画した番組の内容を把握するために、番組の要約を視聴するための特殊再生である。
【００４６】
検索目的再生の場合は関数を右肩上がりにすることで番組の前半部分の閾値が後半部分より小さくなり、前半部分が重点的に特殊再生の範囲となる。逆に、要約目的再生の場合は関数を右肩下がりにすることで後半部分の閾値が小さくなり、後半部分が重点的に特殊再生の範囲となる。このように閾値を再生時間軸に水平にとるのではなく、例えば、ｙ＝ａｘ＋ｂのような一次関数を用いることにより、重み付けを行い、ある部分を重点的に特殊再生の範囲とすることが可能となる。音声の強度が閾値を上回る区間の合計時間が、所定の基準時間を上回る場合は、図中の矢印ｐｙ１に示すように関数を平行移動、つまり定数ｂの値を大きくして、閾値を変化させて、所定の基準時間を下回るように調整する。なお、関数ｙ＝ｃｘ＋ｄを平行移動させる場合には、定数ｄの値を大きくすればよい。図４において、検索目的再生の場合に再生区間として選択されるせりふ区間、及び要約目的再生の場合に再生区間として選択されるせりふ区間は図５に示す通りである。こうして選択された１以上のせりふ区間が再生区間である。故に、実施形態において特殊再生は再生区間として選択されるせりふ区間の始点、終点を示す情報とこれにあたる動画コンテンツの一部分により特定される。また、再生区間選択部１５の具体的な処理手順については後で述べる。なお、以降において、検索目的再生にて使用する閾値関数と要約目的再生にて使用する閾値関数とを区別するために、検索目的再生にて使用する閾値関数を検索用評価関数、及び要約目的再生にて使用する閾値関数を要約用評価関数という場合もある。
【００４７】
＜再生部１６＞
再生部１６は再生区間選択部１５で選択されたせりふ区間（つまり、再生区間）に対応する音声映像を再生する。再生部１６は、録画された番組の音声映像を再生する。
＜閾値決定部１７＞
閾値決定部１７は、入力された特殊再生の種類、時間（特殊再生を行う時間）により閾値関数を決定し、決定した閾値関数を再生区間選択部１５に出力する。
【００４８】
また、閾値決定部１７は、表示制御部１９にて表示されている関数を、再生区間の選択に用いる閾値関数として決定し、決定した閾値関数を再生区間選択部１５に出力する。
＜ユーザ指示取得部１８＞
ユーザ指示取得部１８は、操作指示装置９から送信された特殊再生の種類、時間等を受信する。
【００４９】
＜表示制御部１９＞
表示制御部１９は録画予約画面、プログラムナビ画面等を表示する。以下に具体例を交えて説明する。図６は録画予約モードにおける画面構成を示す図であり、図７はプログラムナビモードにおける画面構成を示す図である。図６の録画予約画面では、録画したい番組のチャンネルや録画モードや開始時刻、終了時刻等を入力する。更に、録画予約する番組のダイジェスト映像の作成を希望する場合は、ダイジェスト映像作成のチェックボックスにチェックを入れる。続いて、希望する特殊再生の種類を選択する。特殊再生の種類は両方選択することも可能である。チェックが入った番組については録画時に特殊再生を作成する。図７のようにプログラムナビの一覧表示がなされると、録画予約時にダイジェスト映像作成のチェックが入れられている番組であれば、検索目的ボタン及び／又は要約目的ボタンを表示する。ボタンがフォーカス状態にあるときに決定キーを押すと、それぞれのボタンに対応した特殊再生を行う。ここでフォーカス状態とは、リモコンの方向キー２４により操作の対象として指定された状態である。更に、特殊再生中に現在どの種類のダイジェスト映像を再生しているかを表示する。更に、特殊再生の種類を途中で切り替えることも可能である。
【００５０】
表示制御部１９は、更に、閾値関数のグラフを表示し、ユーザからなされた変化操作に連動し、グラフを変形させることも可能である。ここで、グラフの変化操作には２種類あり、関数の傾きは保持したままで関数を上下に移動させる操作と、関数の中心座標を支点として回転させ、関数の傾きを変化させる操作である。前者の操作を行うには、まず閾値関数上で決定キー２３を押し、その後、図８に示すように上ボタン２５を押すと関数は傾きを保持したまま上に移動する。また、図９に示すように下ボタン２６を押すと関数は下に移動する。後者の操作を行うには、まず閾値関数上で決定キー２３を２回連続で押し、その後、上ボタン２５又は下ボタン２６を押すことで傾きを変更できる。上ボタン２５を押すと支点を中心として反時計回りに回転する。下ボタン２６を押すと時計回りに回転する。図１０に時計回りに回転させたときの関数の変化を示す。
【００５１】
このとき、表示制御部１９は、変化操作に基づいて、閾値関数（例えば、「ｙ＝ａｘ＋ｂ」）の傾き「ａ」及び切片「ｂ」を算出し、算出結果に基づく閾値関数を表示する。
閾値関数の変形がなされた後、ユーザにより決定キー２３が押下されると、表示制御部１９は、変化操作に基づいて変形された閾値関数を、閾値決定部１７へ出力する。これにより、閾値決定部１７は、ユーザにて変形された閾値関数を、再生区間の選択に用いる関数として決定することができる。
【００５２】
また、表示制御部１９は、ダイジェスト映像を作成した番組については、各せりふ区間毎のサムネイルの一覧を表示するサムネイルボタンも表示する。サムネイルボタンがフォーカス状態のときに決定キーを押すと、サムネイルの一覧が表示され、選択した任意のサムネイルを再生する。
＜せりふ区間作成部１３の処理＞
せりふ区間作成部１３の処理について図１１のフローチャートを用いて説明する。本フローチャートにおいて、ｉは再生の対象となるＧＯＰ（Ｇｒｏｕｐ  ｏｆ  Ｐｉｃｔｕｒｅ）を指示する変数であり、ｊは一つのせりふ区間を特定する変数である。せりふフラグはせりふ区間の生成をするか否かを決定するフラグである。本フローチャートのステップＳ２からステップＳ１２はループ処理を構成している。このループ処理の制御変数はｉであり、このループの終了要件はこのｉが最後のＧＯＰを示すことである。このループ処理は、ＧＯＰiを再生し（ステップＳ２）、その出力音声が規定値を超えるか否かを判定し（ステップＳ３）、判定に応じてステップＳ４からステップＳ７、ステップＳ８からステップＳ１０の処理を実行する。
【００５３】
まず、せりふ区間作成部１３は、変数ｉと変数ｊを１として、せりふフラグを０として初期化をする（ステップＳ１）。
次に、せりふ区間作成部１３は、ＧＯＰ1を再生し（ステップＳ２）、そのときの出力音声が規定値を超えるか否かを判断する（ステップＳ３）。超えると判断する場合は（ステップＳ３における「ＹＥＳ」）、せりふ区間作成部１３は、せりふフラグが０か否か判断する（ステップＳ４）。
【００５４】
せりふフラグが０であると判断する場合には（ステップＳ４における「ＹＥＳ」）、せりふ区間作成部１３は、ｊを一つ計数し（ステップＳ５）、規定値を越えた時点をせりふ区間の始点に設定し（ステップＳ６）、せりふフラグを１にする（ステップＳ７）。そしてＧＯＰiが最後か否かを判断する（ステップＳ１１）。また、せりふフラグが０でないと判断する場合は（ステップＳ４における「ＮＯ」）、そのままステップＳ１１に移行する。
【００５５】
出力音声が規定値を超えないと判断する場合は（ステップＳ３における「ＮＯ」）、せりふ区間作成部１３は、せりふフラグが１か否かを判断する（ステップＳ８）。せりふフラグが１であると判断する場合は（ステップＳ８における「ＹＥＳ」）、せりふ区間作成部１３は、規定値を超えない時点をせりふ区間の終点に設定し（ステップＳ９）、せりふフラグを０にする（ステップＳ１０）。また、せりふフラグが１でないと判断する場合は（ステップＳ８における「ＮＯ」）、そのままステップＳ１１に移行する。ＧＯＰiが最後か否かを判断し（ステップＳ１１）、最後でないと判断する場合には（ステップＳ１１における「ＮＯ」）、せりふ区間作成部１３は、ｉを一つ計数し（ステップＳ１２）、次のＧＯＰを再生する（ステップＳ２）。ＧＯＰiが最後であると判断する場合は（ステップＳ１１における「ＹＥＳ」）、せりふ区間作成部１３は、ステップＳ１３からステップＳ１４を繰り返し処理する。まず、せりふ区間作成部１３は、せりふ区間の時間長が一定時間以上であるか否かを判断する（ステップＳ１５）。一定時間以上であると判断する場合は（ステップＳ１５における「ＹＥＳ」）、せりふ区間作成部１３は、そのせりふ区間を削除する（ステップＳ１７）。そうでない場合は（ステップＳ１５における「ＮＯ」）、ステップＳ１６に移行する。次に、せりふ区間作成部１３は、ある一定時間より短いか否かを判断する（ステップＳ１６）。短いと判断する場合は（ステップＳ１６における「ＹＥＳ」）、そのせりふ区間を削除する（ステップＳ１７）。そうでない場合は（ステップＳ１６における「ＮＯ」）、ステップＳ１４に移行する。
【００５６】
＜再生区間選択部１５の処理＞
再生区間選択部１５の処理の内容について図１２のフローチャートを用いて説明する。
なお、再生区間選択部１５の処理を行う前に、ユーザ指示取得部１８にて、操作指示装置９から送信された特殊再生の種類、時間等が受信され、閾値決定部１７にて、受信した特殊再生の種類、時間により閾値関数の決定がなされているものとする。
【００５７】
本フローチャートにおいて、ｉは一つのせりふ区間を特定する変数である。Ｘ1iはせりふ区間の始点での特徴量を示す変数であり、Ｘ2iはせりふ区間の終点での特徴量を示す変数である。Ｙ1iはせりふ区間の始点での閾値を示す変数であり、Ｙ2iはせりふ区間の終点での閾値を示す変数である。本フローチャートのステップＳ２４からステップＳ２９はループ処理を構成している。このループ処理の制御変数はｉであり、このループの終了要件はこのｉが最後のせりふ区間を示すことである。ステップＳ２３からステップＳ３２はループ処理を構成している。このループの終了要件は選択されたせりふ区間の合計時間が所定の基準時間を下回ることである。
【００５８】
まず、再生区間選択部１５は、所定の基準時間を受け付け（ステップＳ２１）、特殊再生の種類に応じた閾値関数を受け付ける（ステップＳ２２）。再生区間選択部１５は、受け付けた閾値関数を一時的に記憶する。
再生区間選択部１５は、変数ｉを１として初期化をする（ステップＳ２３）。
次に、再生区間選択部１５は、せりふ区間の始点と終点の特徴量をＸ1i、Ｘ2iにそれぞれ代入する（ステップＳ２４）。そして、再生区間選択部１５は、せりふ区間の始点と終点の再生時間軸上の座標を入力値として所定の閾値関数に代入し、その出力値をＹ1i、Ｙ2iに代入する（ステップＳ２５）。
【００５９】
再生区間選択部１５は、その出力値と前記特徴量を変数に代入した値を比較し、始点又は終点のどちらかにおいて特徴量が閾値関数の出力値を上回るか否かを判断する（ステップＳ２６）。特徴量が閾値関数の出力値を上回ると判断する場合には（ステップＳ２６における「ＹＥＳ」）、そのせりふ区間を特殊再生の再生区間の候補として選択する（ステップＳ２７）。そして、そのせりふ区間が最後のせりふ区間か否かを判断する（ステップＳ２８）。特徴量が閾値関数の出力値を下回ると判断する場合は（ステップＳ２６における「ＮＯ」）、ステップＳ２８に移行する。再生区間選択部１５は、そのせりふ区間が最後か否かを判断する（ステップＳ２８）。最後のせりふ区間でないと判断する場合は（ステップＳ２８における「ＮＯ」）、再生区間選択部１５は、ｉを一つ計数させ（ステップＳ２９）、ステップＳ２４に移行する。最後のせりふ区間であると判断する場合は（ステップＳ２８における「ＹＥＳ」）、再生区間選択部１５は、せりふ区間の合計時間を求め（ステップＳ３０）、その時間が所定の基準時間を下回るか否かを判断する（ステップＳ３１）。そして、せりふ区間の合計時間が所定の基準時間を下回ると判断する場合は（ステップＳ３１における「ＹＥＳ」）、再生区間選択部１５は、再生区間の候補として選択された１以上のせりふ区間を、それぞれ再生区間として決定する（ステップＳ３３）。そうでない場合は（ステップＳ３１における「ＮＯ」）、再生区間選択部１５は、閾値関数を変化させ（ステップＳ３２）、ステップＳ２３に移行する。
【００６０】
これにより、再生区間選択部１５は、再生区間を決定し、決定した再生区間を、選択された順につなぎあわせて、特殊再生にて再生される１コンテンツを作成することができる。再生部１６は、再生区間選択部１５にて作成された１コンテンツ（つまり、決定された１以上の再生区間をつなぎあわせたコンテンツ）を再生する。
＜まとめ＞
以上のように本実施形態によれば、ダイジェスト映像を作成するにあたって、閾値が単調増加及び／又は単調減少の性質を持つ関数によって与えられるので、時間の経過に伴い閾値を変化させることが可能となる。こうすることで、再生時間軸上のある範囲を重点的に特殊再生で使用する範囲として選択することが可能になる。よって、意に反した特殊再生の視聴を回避することができ、ユーザの希望に応じた特殊再生に係るダイジェスト映像を作成することができる。
【００６１】
従来技術では、意識的にある部分を重点的に含むダイジェスト映像を作成することがが出来ないが、本実施形態における録画映像装置によると、意識的にある部分を重点的に含むダイジェスト映像を作成することができる。
（変形例）
以上、本発明に係る録画再生装置１００について、第１の実施の形態に基づいて説明したが、本発明は上記の第１の実施の形態に限られないことは勿論である。以下のような場合も本発明に含まれる。
【００６２】
（１）上記の実施形態では閾値を求めるための関数は、一次関数である線形関数としたが、これに限定されない。
閾値関数は、定義域において、単調増加又は単調減少を一部でも含んでいればよい。また、定義域において、単調増加及び単調減少の性質の双方を含んでもよい。
または、閾値関数は、予め定められた数式で表されてもよい。例えば、閾値関数は、一次関数や二次関数のようなｎ次関数（ｎは１以上の整数）でもよいし、三角関数や指数関数などである。
【００６３】
または、閾値は、単調増加又は単調減少を含む関数を用いないで、せりふ区間ごとに異なるように設定してもよい。例えば、図３に示すせりふ区間１及びせりふ区間２のそれぞれに対して、ｙ＝ａ１及びｙ＝ａ２を用いる。ただし、ａ１とａ２とは異なる値である。他のせりふ区間に対しても、閾値が異なるように設定する。
（２）上記の実施形態ではせりふ区間を取得したが、実施形態はそれに限らない。例えば、音楽が流れている区間を取得しても良いし、ある人物が映っている区間を取得しても良いし、テロップが映し出されている区間を取得しても良い。
【００６４】
（３）上記の実施形態では録画再生装置１００を用いたが、プログラムであっても良い。
（４）上記の実施形態では録画再生装置１００を用いたが、システムＬＳＩ等の集積回路であっても良い。
（５）上記の実施形態では特徴量として音声の強度を用いたが、実施形態はそれに限らない。例えば、番組の視聴率でも良いし、色の強度でも良いし、お薦め度でも良い。
【００６５】
（６）上記の実施形態では受信された番組についてのダイジェスト映像を作成し、特殊再生を行っているが、動画コンテンツであるなら受信された番組に限らない。
（７）上記の実施形態では特殊再生の種類は検索目的再生と要約目的再生のみであったが、それだけに限らない。例えば、番組の前半部分と後半部分の両方を特殊再生のダイジェスト映像として含んでも良い。
【００６６】
（８）上記の実施形態では上下キーを使用して関数を回転させたが、左右キーを使用して回転させても良い。
（９）上記の実施形態では記憶媒体としてＨＤ、ＤＶＤ、ＢＤ、ＳＤメモリカードを用いたが、それに限らない。例えば、ＣＤ−Ｒ、ＣＤ−ＲＷであっても良いし、またコンパクトフラッシュ（登録商標）カード、スマートメディア、メモリスティック、マルチメディアカード、ＰＣＭ−ＣＩＡカード等の半導体メモリカードであっても良い。ＳｕｐｅｒＤｉｓｋ、Ｚｉｐ、Ｃｌｉｋ！等の磁気記録ディスク、ＯＲＢ、Ｊａｚ、ＳｐａｒＱ、ＳｙＪｅｔ、ＥＺＦｌｅｙ、マイクロドライブ等のリムーバルハードディスクドライブであっても良い。
【００６７】
（１０）上記の実施形態では録画再生装置１００にて特殊再生を行っているが、録画再生装置１００をＵＳＢ等を介して携帯端末と接続し、ダイジェスト映像にあたる動画コンテンツの一部分を携帯端末に転送して、携帯端末のメモリに格納した上で利用しても良い。また、ＳＤメモリカード等にダイジェスト映像にあたる動画コンテンツの一部分を記録して携帯端末で視聴しても良い。これにより、携帯端末にて特殊再生が可能となる。
【００６８】
（１１）上記に示す閾値決定部１７における具体的な動作の一例を、以下に示す。
閾値決定部１７は、検索用評価関数「ｙ＝ａｘ＋ｂ」及び要約用評価関数「ｙ＝ｃｘ＋ｄ」を予め記憶している。ここで、ａ、ｂ、ｃ、ｄは、予め定められた数である。
閾値決定部１７は、特殊再生の種類、時間（特殊再生を行う時間）を、ユーザ指示取得部１８より受け取り、受け取った特殊再生の種類が、検索目的であるか否かを判断する。
【００６９】
特殊再生の種類が、検索目的再生であると判断する場合には、閾値決定部１７は、予め記憶している検索用評価関数を再生区間の選択に用いる閾値関数として決定する。
特殊再生の種類が、検索目的再生でない、つまり要約目的再生である場合には、閾値決定部１７は、予め記憶している要約用評価関数を再生区間の選択に用いる閾値関数として決定する。
【００７０】
なお、上記においては、検索用評価関数は１個としたが、特殊再生を行う時間に応じて設定された複数の検索用評価関数を予め記憶してもよい。また、要約用評価関数も同様に、特殊再生を行う時間に応じて設定された複数の検索用評価関数を予め記憶してもよい。
（１２）再生区間の候補として選択した１以上の区間の合計時間が、所定の基準時間を上回る場合は、閾値関数の切片を変更して、閾値関数を平行移動したが、これに限定されない。閾値関数の傾きを変更してもよいし、傾き及び閾値関数の切片を変更してもよい。
【００７１】
２．第１の実施の形態の変形例
ここでは、毎週同じ時間帯に放送される番組（以下、「シリーズ番組」という。）において、これまでに放送された内容を確認するための特殊再生（以下、「確認目的再生」という。）を行う場合について、上記第１の実施の形態と異なる点を中心に、以下に説明する。
【００７２】
確認目的再生は、例えば、全１０話からなるシリーズ番組（例えば、ドラマ番組）が、第５話まで放送され、次に第６話の放送前に、第１話から第５話までのドラマの内容を、所定の時間（例えば、２０分）内に短縮して、再生する。
録画再生装置１００Ａは図１３に示すように、チューナ１０１と、ＣＰＵ１０２と、ＲＯＭ１０３と、ＲＡＭ１０４と、ＭＰＥＧエンコーダ１０５と、ＭＰＥＧデコーダ１０６と、操作指示装置１０９と、音声映像記憶部１１０と、有音検出部１１１から構成される。
【００７３】
ＣＰＵ１０２、ＲＯＭ１０３、ＲＡＭ１０４、ＭＰＥＧエンコーダ１０５、ＭＰＥＧデコーダ１０６、及び有音検出部１１１は、第１の実施の形態にて示すＣＰＵ２、ＲＯＭ３、ＲＡＭ４、ＭＰＥＧエンコーダ５、ＭＰＥＧデコーダ６、及び有音検出部１１とそれぞれ同様であるため、説明は省略する。
＜チューナ１０１＞
チューナ１０１は番組の受信処理を行う。アナログ放送の場合は番組を受信すると音声信号を有音検出部１１１に出力する。デジタル放送の場合は、音声映像記憶部１１０より番組データを読み出し、ＭＰＥＧデコーダ１０６によりアナログ形式の番組に変換した後に、音声信号を有音検出部１１１に出力する。映像信号に関しては表示制御部１１９によって、ナビ画面や情報画面が重畳される。これにより、チューナ１０１やＭＰＥＧデコーダ１０６から出力された番組の映像に、録画予約やプログラムナビ等の操作画面を重ね合わせて表示することができる。
【００７４】
また、チューナ１０１は、ＥＰＧを受信し、受信したＥＰＧを音声映像記憶部１１０に書き込む。例えば、チューナ１０１は、ＥＰＧを音声映像記憶部１１０のＨＤ１０７ａへ書き込む。
＜操作指示装置１０９＞
操作指示装置１０９は録画、特殊再生等に関する指示をユーザから受け付ける。操作指示装置１０９は、番組の名前から録画予約する番組を決定しその番組の録画を行うタイトル予約の指示と、タイトル予約による録画を行う番組の名前とを受け付ける。
【００７５】
操作指示装置１０９は、録画した番組の再生指示を、ユーザから受け付けると、さらに、再生される番組を視聴するユーザを識別するユーザ識別子を受け付ける。なお、ここでは、録画再生装置１００Ａを利用する各ユーザに対して、ユーザ識別子が割り当てられているものとする。ここで、操作指示装置１０９は、再生される番組を視聴するユーザが複数人いる場合には、視聴する全てのユーザに割り当てられた各ユーザ識別子を受け付ける。
【００７６】
操作指示装置１０９は、確認目的再生を行う旨の指示を受け付けると、さらに、確認目的再生の対象となるフォルダの指定の受け付け、及び視聴するユーザのユーザ識別子を１以上受け付ける。
＜音声映像記憶部１１０＞
音声映像記憶部１１０はＨＤ１０７ａ、ＤＶＤ１０７ｂ、ＢＤ１０７ｃ、ＳＤメモリカード１０８から構成される。ＨＤ１０７ａ、ＤＶＤ１０７ｂ、ＢＤ１０７ｃ、ＳＤメモリカード１０８は番組の読み書きを行う。読み書きには、バスを通じてＭＰＥＧエンコーダ１０５から転送されてくる番組をＨＤ１０７ａ、ＤＶＤ１０７ｂ、ＢＤ１０７ｃ、ＳＤメモリカード１０８に書き込む処理や、ＨＤ７ａ、ＤＶＤ７ｂ、ＢＤ７ｃ、ＳＤメモリカード８に記録されている番組を読み出してバスに転送する処理がある。
【００７７】
音声映像記憶部１１０のＨＤ１０７ａは、図１４に示すように特定フォルダ１５０と、管理領域１５１とを有している。
特定フォルダ１５０は、タイトル予約により録画予約されたシリーズ番組を記憶するための領域であり、タイトル予約にて指定された番組名ごとに異なる。ここでは、１つのシリーズ番組（例えば、番組名が、「ドラマＡＢＣ」とする。）に対して、タイトル予約がなされており、シリーズ番組の記録先は、特定フォルダ１５０であるとする。また、タイトル予約により録画予約されたシリーズ番組の記録先を、ユーザが識別できるように、特定フォルダ１５０のフォルダ名と、番組名とが対応付けられている。例えば、フォルダ名を、タイトル予約により指定された番組名とする。また、特定フォルダ１５０には、番組名「ドラマＡＢＣ」において、第１話から第５話までのシリーズ番組が録画されている状態であるとする。
【００７８】
管理領域１５１は、録画した番組を管理する番組管理領域と、録画した番組の視聴履歴を管理する履歴管理領域と、チューナ１０１にて受信したＥＰＧを記憶するＥＰＧ記憶領域を有している。
番組管理領域は、図１５に示すように番組管理テーブルＴ１００を有している。番組管理テーブルＴ１００は、番組ＩＤと、番組名と、録画日時と、放送局番号と、録画時間からなる組を１以上記憶するための領域を有している。なお、番組ＩＤと、番組名と、録画日時と、放送局番号と録画時間からなる組を録画番組情報という。
【００７９】
番組ＩＤは、録画時に付与される、録画した番組を識別するための識別子であり、番組名は、録画した番組の名前であり、録画日時は、録画を開始した日時を示す。放送局番号は、録画した番組が放送されたチャンネル番号である。録画時間は、録画された時間を示し、録画予約にて指定されている録画開始日時と録画終了日時とから算出される。ここでは、録画時間の単位は、分としているが、録画時間の単位は、時間を示す単位であればよい。
【００８０】
履歴管理領域は、ユーザ識別子ごとに異なる履歴管理テーブルを記憶する。ここでは、図１６に示すように履歴管理テーブルＴ１１０、Ｔ１１１、Ｔ１１２及びＴ１１３を有している。履歴管理テーブルの構成は、どれも同じであるため、ここでは、履歴管理テーブルＴ１１０を用いて、説明する。
履歴管理テーブルＴ１１０は、ユーザ識別子と、履歴情報とからなり、履歴情報は、ユーザ識別子に対応するユーザが視聴した番組の番組ＩＤを、１以上記憶するための領域を有している。
【００８１】
また、ＤＶＤ７ｂは着脱可能な記録媒体であって、具体的には、ＤＶＤ−ＲＡＭ、ＤＶＤ−ＲＷ、ＤＶＤ＋ＲＷなどの書き換え可能なＤＶＤ、及びＤＶＤ−Ｒ、ＤＶＤ＋Ｒなどの書込み可能なＤＶＤを用いることができる。
＜アプリケーション部１２０＞
アプリケーション部１２０はアプリケーションプログラムとハードウェアとが協働した具体的手段であり、図１３に示すように、録画予約制御部１１２と、せりふ区間作成部１１３と、せりふ区間記憶部１１４と、再生区間選択部１１５と、再生部１１６と、閾値決定部１１７と、ユーザ指示取得部１１８と、表示制御部１１９とを備える。
【００８２】
＜録画予約制御部１１２＞
録画予約制御部１１２は録画予約に関する一連の処理に関する制御を行う。
録画予約制御部１１２は、録画が開始されると、番組ＩＤ及び録画時間を算出し、算出した番組ＩＤ、録画対象の番組名、録画開始日時、放送局番号及び録画時間を用いて、録画番組情報を生成し、生成した録画番組情報を、番組管理テーブルＴ１００へ記録する。
【００８３】
録画予約制御部１１２は、操作指示装置１０９よりタイトル予約がなされると、タイトル予約にて指定されたシリーズ番組の名前を、ＥＰＧ記憶領域にて記憶しているＥＰＧより取得し、取得した番組名をフォルダ名とする特定フォルダを生成する。
録画予約制御部１１２は、タイトル予約にて指定された番組を、生成した特定フォルダの配下に録画する。
【００８４】
＜せりふ区間作成部１１３＞
せりふ区間作成部１１３は、第１の実施の形態にて示すせりふ区間作成部１３と同様ｂの動作にて、せりふ区間リストを生成する。
せりふ区間作成部１１３は、生成したせりふ区間リストと、リスト生成の対象となった番組の番組ＩＤとを対応付けて、せりふ区間記憶部１１４へ書き込む。
【００８５】
＜せりふ区間記憶部１１４＞
せりふ区間記憶部１１４は作成されたせりふ区間リストを記憶する。
なお、ここでは、少なくとも特定フォルダ１５０にて録画されている全てのシリーズ番組に対するせりふ区間リストを記憶しているものとする。つまり、図１７及び図１８にて示すように、番組名「ドラマＡＢＣ」に対する第１話から第５話までの各シリーズ番組におけるせりふ区間テーブルＴ１２１〜Ｔ１２５が、少なくとも記憶されている。
【００８６】
せりふ区間テーブルＴ１２１〜Ｔ１２５の構成は、どれも同じであるため、ここでは、せりふ区間テーブルＴ１２１について、説明する。
せりふ区間テーブルＴ１２１は、番組ＩＤを記憶するＩＤ記憶領域１３１と、第１の実施の形態にて示したせりふ区間リスト３１と同様の構成からなるせりふ区間リスト１３２とからなる。
【００８７】
＜再生区間選択部１１５＞
検索目的再生及び要約目的再生については、第１の実施の形態と同様であるため、説明を省略する。
ここでは、確認目的再生を行う際に行われる再生区間の選択について説明する。
再生区間選択部１１５は、録画番組情報を読み出した回数をカウントするカウンタを有している。
【００８８】
再生区間選択部１１５は、確認目的再生の対象として指定されたフォルダ（ここでは、特定フォルダ１５０とする。）と、操作指示装置１０９より受信した１以上のユーザ識別子とを用いて、以下の動作を行う。なお、ここでは、受信した１以上のユーザ識別子は、「１」、「２」、「３」の３つのユーザ識別子とする。
再生区間選択部１１５は、カウンタの値を０に設定する。
【００８９】
再生区間選択部１１５は、指定されたフォルダのフォルダ名（ここでは、「ドラマＡＢＣ」）と一致する番組名を含む全ての録画番組情報を、番組管理テーブルＴ１００から読み出し、読み出した全ての録画番組情報からなる作業用テーブルＴ１３０を作成する。ここでは、番組管理テーブルＴ１００から、番組名に「ドラマＡＢＣ」を含む録画番組情報を全て読み出し、その結果である作業テーブルＴ１３０を、図１９に示す。なお、作業用テーブルＴ１３０の構成は、番組管理テーブルＴ１００の構成と同様であるため、説明は省略する。
【００９０】
再生区間選択部１１５は、作業用テーブルＴ１３０より、１以上の未読の録画番組情報のうち、録画日時が最も古い録画番組情報を読み出し、読み出した録画番組情報に含まれる番組ＩＤを取得する。
再生区間選択部１１５は、番組ＩＤに対応するせりふ区間テーブルを読み出し、カウンタの値に１を加算する。
【００９１】
再生区間選択部１１５は、「（カウンタ値−１）×録画時間」を算出し、算出結果を、読み出したせりふ区間テーブルに含まれる各始点及び各終点に加算し、読み出したせりふ区間テーブルを更新する。
再生区間選択部１１５は、取得した番組ＩＤと、受信した１以上のユーザ識別子に対応する履歴管理テーブル、ここでは、履歴管理テーブルＴ１１０、Ｔ１１１及びＴ１１２とを用いて、番組ＩＤに対応する番組を見ていないユーザが存在するか否かを判断する。
【００９２】
番組ＩＤに対応する番組を見ていないユーザが存在すると判断する場合には、再生区間選択部１１５は、読み出したせりふ区間テーブルに含まれる各音声の強度を、１．５倍の強度に変更し、変更されたせりふ区間テーブルを一時的に記憶する。
番組ＩＤに対応する番組を見ていないユーザが存在しないと判断する場合には、音声の強度の変更は行わないで、せりふ区間テーブルを一時的に記憶する。
【００９３】
再生区間選択部１１５は、未読の録画番組情報が存在するか否かを判断し、存在すると判断する場合には、作業用テーブルＴ１３０より、１以上の未読の録画番組情報から、録画日時が最も古い録画番組情報を読み出し、上記の動作を繰り返す。これにより、タイトル予約にて録画予約されたシリーズ番組のうち第１話から順に、各録画番組情報を取得することができ、「（カウンタ値−１）×録画時間」を算出し、算出結果を、読み出した区間テーブルに含まれる各始点及び各終点に加算することにより、第１話からの録画の累計時間を算出することができる。
【００９４】
再生区間選択部１１５は、未読の録画番組情報が存在しない、作業用テーブルＴ１３０に記録されている全ての録画番組情報を読み出したと判断する場合には、一時的に記憶している全てのせりふ区間テーブルに含まれる各せりふ区間リストを用いて、図２０にて示す作業用せりふ区間リストＴ１３５を生成する。
作業用せりふ区間リストＴ１３５の構成は、せりふ区間リスト３１と同様であるため、説明は省略する。なお、番組ＩＤ「ｐ２」である番組の各せりふ区間における各始点及び各終点は、番組ＩＤ「ｐ１」の番組の録画時間を累計された時間となる。また、番組ＩＤ「ｐ３」、「ｐ５」及び「ｐ６」における各始点及び各終点についても、第１話からの録画時間の累計となっている。また、番組ＩＤ「ｐ３」である番組の各せりふ区間における各音声の強度は、せりふ区間テーブルＴ１２３にて記憶されている音声の強度の１．５倍となっている。なぜなら、ユーザ識別子「１」、「２」及び「３」のうちユーザ識別子「２」に対応するユーザは、番組ＩＤ「ｐ３」である番組、つまり「ドラマＡＢＣ」の第３話を見ていないためである。
【００９５】
再生区間選択部１１５は、生成した作業用せりふ区間リストＴ１３５と、要約用評価関数とを用いて、特殊再生にて再生されるせりふ区間を選択する。図２１は再生区間の選択の一例を示す図である。ここで、せりふ区間３１からせりふ区間３４にて示されるグラフのうち斜線部分は、音声の強度を１．５倍にすることにより、増加された強度を示している。例えば、せりふ区間３４にて示されるグラフのうち非斜線部１６０は、せりふ区間テーブルＴ１２３にて示される音声の強度を示し、斜線部１６１は、非斜線部１６０にて示される強度を１．５倍することにより、増加された強度の部位である。
【００９６】
再生区間選択部１１５は、要約用評価関数にて示される閾値を越えるせりふ区間を取得して、その合計時間が、所定の時間以内であるか否かを判断する。
所定の時間内であると判断する場合には、再生区間選択部１１５は、取得したせりふ区間を、再生区間として決定する。
所定の時間内でないと判断する場合には、閾値が高くなるよう、関数を平行移動させて、再度、要約用評価関数にて示される閾値を越えるせりふ区間を取得して、上記動作を繰り返す。
【００９７】
これにより、再生区間選択部１１５は、最近放送された番組を重点的に、特殊再生することがきる。また、再生区間選択部１１５は、確認目的再生により、視聴しようとする１以上のユーザにおいて、見逃している番組がある場合には、その番組をも重点的に特殊再生することができる。
＜再生部１１６＞
再生部１１６は再生区間選択部１１５で選択されたせりふ区間（つまり、再生区間）に対応する音声映像を再生する。
【００９８】
再生部１１６は、操作指示装置１０９から、録画された番組の再生指示と、１以上のユーザ識別子を受け取ると、再生の指示がなされた番組に対応する番組ＩＤを番組管理テーブルＴ１００より読み出し、受け取った１以上のユーザ識別子のそれぞれに対応する履歴管理テーブルを読み出し、読み出した履歴管理テーブルに、読み出した番組ＩＤを登録することにより、履歴管理テーブルを更新する。再生部１１６は、録画された番組の再生指示と、１以上のユーザ識別子を受け取ると、再生の指示がなされた番組の音声映像を再生する。
【００９９】
＜閾値決定部１１７＞
閾値決定部１１７は、閾値決定部１７と同様であるため、説明は省略する。
＜ユーザ指示取得部１１８＞
ユーザ指示取得部１１８は、ユーザ指示取得部１８と同様であるため、説明は省略する。
【０１００】
＜表示制御部１１９＞
表示制御部１１９は、表示制御部１９と同様であるため、説明は省略する。
＜せりふ区間作成部１１３の処理＞
せりふ区間作成部１１３の処理の動作は、図１１にて示すせりふ区間作成部１３の処理の動作と同様であるため、説明は省略する。
【０１０１】
＜再生区間選択部１１５の処理＞
ここでは、確認目的再生を行う際に行われる再生区間の選択の動作について、図１２に示す流れ図と異なる点を中心に説明する。
再生区間選択部１１５は、図１２にて示すステップＳ２１を実行する前に、図２２及び図２３にて示すリスト生成処理を実行し、リスト生成処理の実行後、ステップＳ２１以降を行う。
【０１０２】
再生区間選択部１１５は、確認目的再生の対象となるフォルダの指定を受け付け（ステップＳ１００）、操作指示装置１０９より１以上のユーザ識別子を受け付ける（ステップＳ１０５）。
再生区間選択部１１５は、カウンタの値を０に設定し（ステップＳ１１０）、再生区間選択部１１５は、指定されたフォルダのフォルダ名（例えば、「ドラマＡＢＣ」）と一致する番組名を含む全ての録画番組情報を、番組管理テーブルＴ１００から読み出し、読み出した全ての録画番組情報からなる作業用テーブルを作成する（ステップＳ１１５）。
【０１０３】
再生区間選択部１１５は、作業用テーブルより、１以上の未読の録画番組情報のうち、録画日時が最も古い録画番組情報を読み出し（ステップＳ１２０）、読み出した録画番組情報に含まれる番組ＩＤを取得する（ステップＳ１２５）。
再生区間選択部１１５は、番組ＩＤに対応するせりふ区間テーブルを読み出し（ステップＳ１３０）、カウンタの値に１を加算する（ステップＳ１３５）。
【０１０４】
再生区間選択部１１５は、「（カウンタ値−１）×録画時間」を算出し、算出結果を、読み出したせりふ区間テーブルに含まれる各始点及び各終点に加算し、読み出したせりふ区間テーブルを更新する（ステップＳ１４０）。
再生区間選択部１１５は、取得した番組ＩＤと、受信した１以上のユーザ識別子のそれぞれに対応する履歴管理テーブルとを用いて、番組ＩＤに対応する番組を見ていないユーザが存在するか否かを判断する（ステップＳ１４５）。
【０１０５】
番組ＩＤに対応する番組を見ていないユーザが存在すると判断する場合には（ステップＳ１４５における「ＹＥＳ」）、再生区間選択部１１５は、読み出したせりふ区間テーブルに含まれる各音声の強度を、１．５倍の強度に変更し（ステップＳ１５０）、変更されたせりふ区間テーブルを一時的に記憶する（ステップＳ１５５）。
番組ＩＤに対応する番組を見ていないユーザが存在しないと判断する場合には（ステップＳ１４５における「ＮＯ」）、音声の強度の変更は行わないで、せりふ区間テーブルを一時的に記憶する（ステップＳ１５５）。
【０１０６】
再生区間選択部１１５は、未読の録画番組情報が存在するか否かを判断し（ステップＳ１６０）、存在すると判断する場合には（ステップＳ１６０における「ＹＥＳ」）、ステップＳ１２０へ戻る。
再生区間選択部１１５は、未読の録画番組情報が存在しない、作業用テーブルＴ１３０に記録されている全ての録画番組情報を読み出したと判断する場合には（ステップＳ１６０における「ＮＯ」）、一時的に記憶している全てのせりふ区間テーブルに含まれる各せりふ区間リストを用いて、作業用せりふ区間リストを生成する（ステップＳ１６５）。
【０１０７】
なお、図１２に示すステップＳ２３以降において、再生区間選択部１１５は、ステップＳ２２にて取得した閾値関数（ここでは、要約用評価関数）と、ステップＳ１６５にて生成した作業用せりふ区間リストとを用いて、再生区間の選択を行う。また、図２０にて示す作業用せりふ区間リストＴ１３５のせりふ区間１１からせりふ区間５４を、順にせりふ区間１からせりふ区間２０とすることで、変数「ｉ」を用いて、せりふ区間を特定することができる。
【０１０８】
＜まとめ＞
以上のように本変形例によれば、ドラマなどのシリーズ番組を視聴する際に、これまでに放送された１以上の番組（例えば、第１話から第５話までの番組）を、特殊再生により視聴することができる。これにより、例えば、ユーザは、シリーズ番組の第６話を視聴する前に、そのシリーズ番組のおさらいとして、第１話から第５話までの内容を短時間で確認することができる。
【０１０９】
（その他の変形例）
以上、本発明に係る録画再生装置１００Ａについて、第１の実施の形態の変形例に基づいて説明したが、本発明は上記変形例に限られないことは勿論である。以下のような場合も本発明に含まれる。
（１）再生区間を選択する際に用いる閾値関数を要約用評価関数としたが、検索用評価関数としてもよい。
【０１１０】
（２）未視聴のユーザが存在する場合に、再生区間選択部１１５は、音声強度の値を１．５倍となるように変更したが、音声強度の値に乗ずる数値は１より大きい値であればよい。または、予め定められた値を、音声強度の値に加算してもよい。
（３）未視聴のユーザが存在する場合に、再生区間選択部１１５は、音声強度の値を変更したが、変更しなくてもよい。
【０１１１】
（４）再生区間を選択する際に、複数のせりふ区間リストをマージしたが、これに限定されない。各せりふ区間リストごとに、要約用評価関数を用いて再生区間を選択してもよい。
このとき、各せりふ区間リストごとに、同一の要約用評価関数を用いてもよいし、異なる要約用評価関数を用いてもよい。
【０１１２】
（５）シリーズ番組は、毎週同じ時間帯にて放送される番組としたが、これに限定されない。
シリーズ番組は、毎日、または毎週、同時刻に連続して放送される番組であってもよい。または、月曜日から金曜日まで等のように、１週間のうち、予め定められた１以上の曜日の、同時刻に連続して放送される番組であってもよい。
【０１１３】
３．第２の実施の形態
以下、本発明に係る第２の実施の形態を図示例と共に説明する。
なお、本実施形態では、再生ルールを、再生ルール決定テーブルと、再生ルール情報と、再生区間管理情報とに分けて記載している。
３．１  概略
図２４は、本発明の一実施形態である映像記録再生システム１０００の概略構成を示す図である。
【０１１４】
放送局１０１０は、地上波デジタル放送波を送信する。
映像再生装置１０２０は、具体的にはハードディスク等の大容量記録媒体を備えた地上波デジタル放送受信機等であり、地上波デジタル放送波を受信し、前記記録媒体への記録や、デコード結果である映像コンテンツの表示装置１０３０への出力等を行う。
表示装置１０３０は、映像再生装置１０２０から出力される映像を表示する、テレビジョン受信機、ディスプレイ等である。
【０１１５】
また、映像再生装置１０２０は、映像コンテンツの特殊再生において、放送局１０１０が放送する番組に関する情報等を、サーバ装置１０４０からネットワークを介して取得し、当該情報を用いて、前記記録媒体へ記録された映像コンテンツの内容を効率良く把握できるようコンテンツを再生する。
なお、本実施の形態における特殊再生とは、検索目的再生であり、ここでは、ダイジェスト再生という場合もある。
【０１１６】
３．２  構成
（１）  映像再生装置１０２０
映像再生装置１０２０は、図２５に示すように、放送受信部１２０１、映像コンテンツ記憶部１２０２、番組情報テーブル生成部１２０３、再生情報受信部１２０４、再生ルール記憶部１２０５、再生区間管理情報記憶部１２０６、決定部１２０７、ユーザ指示取得部１２０８、再生部１２０９及び時計部１２１０から構成されている。
【０１１７】
映像再生装置１０２０は、具体的には、ＣＰＵ、ＲＯＭ、ＲＡＭ、ハードディスク、ネットワークインターフェイス、チューナ、誤り訂正部、トランスポートデコーダ、映像音声復号部等から成るデジタル放送受信機等であり、ＲＯＭには、コンピュータプログラムが記憶され、前記ＣＰＵが、前記コンピュータプログラムに従って動作することにより、その機能を実現する。
【０１１８】
＜放送受信部１２０１＞
放送受信部１２０１は、選局、復調、誤り訂正、デスクランブル、多重分離の各モジュールから成り、ユーザの受信希望番組に係る受信指示をユーザ指示取得部１２０８から取得し、前記選局モジュールが前記受信指示に従い、アンテナ（図示せず）から入力される入力信号の中から希望のチャンネルを選択し、復調部が、前記選択されたチャンネルに係る信号を復調してデジタル信号列を生成し、誤り訂正モジュールが、当該デジタル信号列の中の信号誤りを検出して訂正し、デスクランブルモジュールが、デジタル信号列をデスクランブルし、多重分離モジュールが多重化された複数の番組データから所望の番組データを分離して、再生部１２０９及び映像コンテンツ記憶部１２０２に出力する。
【０１１９】
前記出力される所望の番組データは、トランスポートストリームの形式を用いる。
また、放送受信部１２０１は、前記番組データに対応する、番組名、ジャンルＩＤ、放送局番号、当該番組の放送開始及び終了時刻を、トランスポートストリーム中のＥＩＴ（Ｅｖｅｎｔ  Ｉｎｆｏｒｍａｔｉｏｎ  Ｔａｂｌｅ）等ＥＰＧに係る情報から抜き出して、番組情報テーブル生成部１２０３に送信する。
【０１２０】
＜映像コンテンツ記憶部１２０２＞
映像コンテンツ記憶部１２０２は、ユーザ指示取得部１２０８から所望の番組の記録指示を受け付けた場合に、放送受信部１２０１から出力される前記所望の番組に係るトランスポートストリームを記憶し、記憶を開始した旨を番組情報テーブル生成部１２０３に通知する。
【０１２１】
＜番組情報テーブル生成部１２０３＞
番組情報テーブル生成部１２０３は、放送受信部１２０１から取得する番組名、ジャンルＩＤ、放送局番号に関する情報と、時計部１２１０から取得する時刻情報とに基づいて記録番組情報を作成し、映像コンテンツ記憶部１２０２に記録番組情報テーブルＴ１０００として記憶させる。
【０１２２】
記録番組情報テーブルＴ１０００の内容の一例を図２６に示す。
記録番組情報テーブルＴ１０００は、１以上の記録番組情報から成り、番組ＩＤは、番組情報テーブル生成部１２０３が付与する、番組を一意に識別するための識別子である。
番組名、ジャンルＩＤ、放送局番号は、番組情報テーブル生成部１２０３が放送受信部１２０１から取得したものであり、録画日時は、時計部１２１０から取得した、録画を開始した日時を示している。
【０１２３】
＜再生情報受信部１２０４＞
再生情報受信部１２０４は、サーバ装置１０４０から、ネットワークを介して、再生ルール決定テーブル、再生ルール情報テーブル、再生区間管理情報を取得し、取得した再生ルール決定テーブル及び再生ルール情報テーブルを再生ルール記憶部１２０５に出力し、取得した再生区間管理情報を再生区間管理情報記憶部１２０６に出力する。
【０１２４】
なお、再生ルール決定テーブル、再生ルール情報テーブル、再生区間管理情報の詳細については、後述する。
＜再生ルール記憶部１２０５＞
再生ルール記憶部１２０５は、再生情報受信部１２０４から取得した再生ルール決定テーブル及び再生ルール情報テーブルを記憶する。
【０１２５】
図２７において、再生ルール記憶部１２０５が記憶している再生ルール決定テーブルＴ１０１０の一例を示す。
再生ルール決定テーブルＴ１０１０は、ジャンルＩＤと、ルールＩＤの１つ以上の組から成る。
ジャンルＩＤは、番組のジャンルを識別するための識別子であり、ＥＰＧに係る情報内で使用されているものと同様の分類を用いている。
【０１２６】
ルールＩＤは、映像コンテンツ記憶部１２０２に記憶している番組の再生の仕方を示す再生ルール情報を識別する識別子である。
図２８において、再生ルール記憶部１２０５が記憶している再生ルール情報テーブルＴ１０２０の一例を示す。
再生ルール情報テーブルＴ１０２０は、１以上の再生ルール情報から成り、再生ルール情報は、ルールＩＤと、情報種別と、再生順序と、再生時間とから成る情報である。
【０１２７】
ルールＩＤは、再生ルール情報を一意に識別する識別子であり、再生ルール決定テーブルに用いられるものと同様に定められている。
情報種別は、対応する再生区間管理情報の種別を示す。
再生順序は、番組内の各再生区間を、重要度順に再生するか、時系列に再生するかを示す。
【０１２８】
再生時間は、番組について、再生する総時間を示す。
＜再生区間管理情報記憶部１２０６＞
再生区間管理情報記憶部１２０６は、映像コンテンツ記憶部１２０２に記憶している各番組についての再生区間管理情報を記憶する。
図２９において、再生区間管理情報記憶部１２０６が記憶している、ある１番組に対する再生区間管理情報Ｔ１０３０、Ｔ１０３１、Ｔ１０３２及びＴ１０３３の一例を示す。
【０１２９】
再生区間管理情報Ｔ１０３０、Ｔ１０３１、Ｔ１０３２及びＴ１０３３は、同様の構成であるため、ここでは、再生区間管理情報Ｔ１０３０について説明する。
再生区間管理情報Ｔ１０３０は、区間ＩＤと、オフセット時刻と、再生時間と、重要度とから成る。
オフセット時刻は、映像コンテンツ記憶部１２０２に記憶された番組データの先頭からのオフセットを示す。
【０１３０】
オフセット時刻が００：１０：００と記載されている場合は、番組データの先頭から計測して１０分後に再生されるべきデータに対応する。
再生時間は、対応する区間について、再生を行う時間である。
重要度は、数値が大きいほど、該当する区間が重要であることを示している。
例えば、図２９の再生区間管理情報Ｔ１０３０に係る番組は、４つの区間に分かれており、各区画毎に重要度が定められている。
【０１３１】
重要度は複数の方法により定められる。
本実施形態では、視聴率に基づき決定された視聴率情報（ここでは、再生区間管理情報Ｔ１０３２に対応している。）、字幕出現の頻度に基づき決定された字幕出現情報（ここでは、再生区間管理情報Ｔ１０３３に対応している。）、ユーザプロファイルに基づき決定されたユーザプロファイル情報（ここでは、再生区間管理情報Ｔ１０３０及びＴ１０３１に対応している。）の３種類を用いている。
【０１３２】
いずれの方法により重要度が定められているかは、再生ルール情報テーブルＴ１０２０内の情報種別により、区別する。
情報種別が「視聴率情報」である場合、重要度は、番組の再生区間毎の視聴率に基づき、視聴率の高い区間ほど高い値に設定されている。
視聴率の調査は、サーバ装置１０４０を運営する会社自らが行ってもよいし、第三者機関が行った調査結果を使用してもよい。
【０１３３】
情報種別が「字幕出現情報」である場合、重要度は、字幕の出現期間が多い区間ほど高い値に設定されている。
字幕出現期間の測定は、サーバ装置１０４０を運営する会社自らが行ってもよいし、番組の放送事業者が情報提供してもよい。
情報種別がユーザプロファイル情報である場合、重要度は、ユーザの好みの度合いが高い区間ほど高い値に設定されている。
【０１３４】
例えば、ユーザは、サーバ装置１０４０に対し、予め、当該ユーザが好む出演者の氏名を通知しておく。
また、サーバ装置１０４０の運営会社は、放送局１０１０の運営会社から、予め、調査対象としている番組において、いつ、どの出演者が出演しているかを示す情報を取得しておく。
【０１３５】
番組の各再生区間において、前記ユーザが好む出演者が出演する期間が長い区間ほど、重要度が高く設定される。
本実施形態では、再生区間管理情報記憶部１２０６は、１つの番組について、予め、視聴率に基づくもの、字幕出現の頻度に基づくもの、ユーザプロファイルに基づくものの３つの再生区間管理情報を保持するものとしているが、必要なもののみサーバ装置１０４０から取得し保持することとしてもよい。
【０１３６】
＜決定部１２０７＞
決定部１２０７は、再生ルール決定テーブル、再生ルール情報テーブル、再生区間管理情報を用いて、番組のダイジェスト再生の手順を決定し、再生部１２０９に通知する。
前記ダイジェスト再生の手順の決定については、後述する。
＜ユーザ指示取得部１２０８＞
ユーザ指示取得部１２０８は、ユーザがリモコン（図示せず）を用いて指示する内容を取得し、適切な転送先にリモコン指示内容を振り分ける。
【０１３７】
例えば、リモコン指示内容が、選局指示であった場合、選局指示を放送受信部１２０１に送信し、放送受信部１２０１は、別途指示された放送局の番組を受信、復号、多重分離等を行って当該番組に係るトランスポートストリームを出力し、再生部１２０９が当該番組を再生する。
リモコン指示内容が、ダイジェスト再生の指示である場合は、再生部１２０９に対しダイジェスト再生指示を行う。
【０１３８】
＜再生部１２０９＞
再生部１２０９は、ＭＰＥＧデコーダ、ＯＳＤ（Ｏｎ  Ｓｃｒｅｅｎ  Ｄｉｓｐｌａｙ）の生成、画像重畳等の各モジュールから成り、放送受信部１２０１から出力されるトランスポートストリーム及び映像コンテンツ記憶部１２０２に記録されているトランスポートストリームをＭＰＥＧデコードして映像、音声、データ等を取得し、決定部１２０７が決定した再生ルールに従い、前記取得した映像及び音声の再生を行う。
【０１３９】
＜時計部１２１０＞
時計部１２１０は、時刻を刻み、時刻取得要求を受け付け、要求元に対し、受け付けた時刻を示す時刻情報を応答する。
（２）  サーバ装置１０４０
サーバ装置１０４０は、具体的には、ＣＰＵ、ＲＯＭ、ＲＡＭ、ハードディスク、ネットワークアダプタ等から成るコンピュータ等であり、ＲＯＭには、コンピュータプログラムが記憶され、前記ＣＰＵが、前記コンピュータプログラムに従って動作することにより、サーバ装置１０４０は、その機能を実現する。
【０１４０】
サーバ装置１０４０は、映像再生装置１０２０に対し、再生ルール決定テーブル、再生ルール情報テーブル、再生区間管理情報等の情報を送信する。
３．３  動作
映像再生装置１０２０は、映像コンテンツの受信及び記録、記録番組情報テーブルの作成、再生ルール決定テーブル、再生ルール情報テーブル、再生区間管理情報等の取得及び更新処理を、ダイジェスト再生の動作に先立ち、予め、通常視聴時の動作中、電源スタンバイ時等の比較的処理負荷の低い間に行っておくものとする。
【０１４１】
以下、映像コンテンツのダイジェスト再生の動作について説明する。
図３０は、映像コンテンツのダイジェスト再生の動作を行うための区間再生順を決定するための手順を示すフローチャートである。
まず、ユーザは、前記リモコンを用いて、映像再生装置１０２０に対しダイジェスト再生の指示を行う。
【０１４２】
ユーザ指示取得部１２０８は、前記リモコンにより指示された、当該ダイジェスト再生の指示を取得する（ステップＳ１１０１）。
ユーザ指示取得部１２０８は、再生部１２０９に対しダイジェスト再生指示を送信し、再生部１２０９は、当該ダイジェスト再生指示を取得する。
再生部１２０９は、決定部１２０７に対し、区間再生順の決定指示を行う。
【０１４３】
決定部１２０７は、まず、ダイジェスト再生を開始している番組数が同時再生数を超えていないかを確認する（ステップＳ１１０２）。
ここで同時再生数とは、再生画面中で同時に表示するダイジェスト再生の映像の数であり、本実施形態では値「６」としている。
同時再生数を超えた場合（ステップＳ１１０２における「ＮＯ」）、処理を終了する。
【０１４４】
同時再生数を超えていない場合（ステップＳ１１０２における「ＹＥＳ」）、記録番組情報テーブル中の番組で、ダイジェスト再生すべき番組が残っているか否か判定する（ステップＳ１１０３）。
ダイジェスト再生すべき番組が残っていない場合（ステップＳ１１０３における「ＮＯ」）、処理を終了する。
【０１４５】
ダイジェスト再生すべき番組が残っている場合（ステップＳ１１０３における「ＹＥＳ」）、ダイジェスト再生すべき番組に係る記録番組情報を記録番組情報テーブルＴ１０００から読み出す（ステップＳ１１０４）。
決定部１２０７は、再生ルール決定テーブルＴ１０１０を参照し、前記読み出した記録番組情報内のジャンルＩＤに対応するルールＩＤを取得し（ステップＳ１１０５）、当該ルールＩＤに対応する再生ルール情報を、再生ルール情報テーブルＴ１０２０から読み出す（ステップＳ１１０６）。
【０１４６】
また、再生ルール情報テーブルＴ１０２０から、ルールＩＤが「００１」である再生ルール情報を取得する。
決定部１２０７は、読み出した再生ルール情報中の情報種別に対応する再生区間管理情報を取得する（ステップＳ１１０７）。
次に、決定部１２０７は、取得した再生ルール情報中の「再生順序」と、取得した再生区間管理情報とから、区間再生順を決定する（ステップＳ１１０８）。
【０１４７】
再生部１２０９は、決定部１２０７が決定した区間再生順に従い、映像コンテンツの再生を行う（ステップＳ１１０９）。
上記ステップＳ１１０４からステップＳ１１０９の動作に関し、例を用いて説明する。
ステップＳ１１０４において、例えば、ダイジェスト再生すべき番組として、図２６に示す記録番組情報テーブルＴ１０００中の、録画日時が最新である番組を選択したとする。
【０１４８】
前記番組の、番組ＩＤが値「６」であり、番組名は「ニュース番組１」である。
ステップＳ１１０５において、決定部１２０７は、「ニュース番組１」のジャンルＩＤが「００１（ニュース）」であることから、再生ルール決定テーブルＴ１０１０より、ルールＩＤとして値「００１」を取得する。
ステップＳ１１０６において、決定部１２０７は、ルールＩＤが値「００１」であるので、再生ルール情報テーブルＴ１０２０より、情報種別が「ユーザプロファイル情報１」であり、再生順序が「重要度順」であり、再生時間が「１０分」であると認識する。
【０１４９】
ここで、情報種別が「ユーザプロファイル情報１」である場合に対応する再生区間管理情報は、図２９に示した再生区間管理情報Ｔ１０３０であるとする。
決定部１２０７は、図２９の再生区間管理情報Ｔ１０３０を用いて、区間再生順として、重要度が最も高い、つまり、区間ＩＤが値「３」である区間を最初に再生し、区間ＩＤが「１」、区間ＩＤが「２」、区間ＩＤが「４」の順で再生することと決定する。
【０１５０】
また、再生順序が「時系列順」である場合は、オフセット時刻の小さい再生区間から順に再生するよう区間再生順を決定する。
図３１は、決定部１２０７が、最終的に決定した区間再生順を示す再生順リストＴ１０４０である。再生順リストＴ１０４０は、ステップＳ１１０８において、区間再生順が決定されることにより、決定部１２０７にて生成される。
【０１５１】
再生順リストＴ１０４０は、区間ＩＤ、オフセット時間及び再生時間とからなる組を１以上記憶するための領域を有している。
ここで、区間ＩＤが「１」である再生区間の、再生時間Ｔ１０４１が、「００：０３：００」ではなく、「００：０２：００」となっているのは、当該番組の記録を、番組開始時から１分遅れで開始していることを示したものであり、番組の先頭から１分間は記録がされていないことを補償している。
【０１５２】
また、再生時間の合計は、再生ルール情報テーブルＴ１０２０の内容より１０分間と定められているため、区間ＩＤが「４」の再生区間の再生時間Ｔ１０４２は、２分間のみの再生する。
図３２は、ダイジェスト再生画面の表示装置１０３０への表示例を示す図である。
映像表示領域１９０１〜映像表示領域１９０６には、ダイジェスト再生の映像が表示される。
【０１５３】
例えば、映像表示領域１９０１には、上記具体例で説明した「ニュース番組１」が表示され、映像表示領域１９０２には「映画番組２」が表示され、映像表示領域１９０３には「映画番組１」が表示され、映像表示領域１９０４には「ドラマ番組２」が表示され、映像表示領域１９０５には「アニメ番組１」が表示され、映像表示領域１９０６には、「ドラマ番組１」が表示される。
【０１５４】
前記ダイジェスト再生画面の下半分においては、説明表示枠１９１１から説明表示枠１９１６において、映像表示領域１９０１から映像表示領域１９０６に表示された映像コンテンツの番組名を表示している。
図３３は、ダイジェスト再生画面において、１つの表示映像を表示する例である。
前記ユーザは、前記リモコンを用いて、選択マーク１９２１を上下させて、説明表示枠１９１１から説明表示枠１９１６のうち、１つを選択することができ、選択された説明表示枠に対応する映像表示領域に、ダイジェスト再生の画像が表示される。
【０１５５】
３．４．  その他変形例
なお、本発明を上記の第２の実施の形態に基づいて説明してきたが、本発明は、上記の第２の実施の形態に限定されるものではなく、本発明の要旨を逸脱しない範囲内において種々変更を加え得ることは勿論であり、以下のような場合も本発明に含まれる。
（１）再生情報受信部１２０４が、サーバ装置１０４０から、ネットワークを介して、再生ルール決定テーブル、再生ルール情報テーブル、再生区間管理情報を取得することとしているが、ネットワークに限らず、ＣＤ、ＤＶＤ等の記録メディアを介して取得するものとしてもよいし、再生ルール決定テーブル、再生ルール情報テーブル、再生区間管理情報の一部或いは全部を、予め、再生ルール記憶部、再生区間管理情報記憶部に保持するものとしてもよい。
【０１５６】
（２）サーバ装置１０４０は、任意のタイミングで、ネットワークを介して、映像再生装置１０２０へと再生ルール決定テーブル、再生ルール情報テーブル、再生区間管理情報を送信開始してもよいし、映像再生装置１０２０からの送信要求を受け付けてから、送信開始してもよい。
（３）再生情報受信部１２０４が、サーバ装置１０４０から、ネットワークを介して、再生ルール決定テーブル、再生ルール情報テーブル、再生区間管理情報を取得することとしているが、再生区間管理情報は、映像再生装置１０２０の中で生成してもよい。
【０１５７】
例えば、重要度に関する情報を、映像再生装置１０２０内で生成する場合であれば、映像再生装置１０２０が、ユーザの再生操作や予約録画操作などの操作履歴から得られたユーザの好みの人物情報やジャンル情報をユーザプロファイルデータベースとして蓄積しておき、映像データの再生区間ごとの重要度を定める。
ダイジェスト再生の対象となる動画データに対して人物認証を行い、特定の人物がどの再生区間に出演しているかの情報を得て、ユーザの好みの人物が出演している区間に対しては、その再生区間の重要度を増加させる処理を行う。
【０１５８】
（４）本実施形態では、再生区間管理情報記憶部１２０６は、１つの番組について、予め、視聴率に基づくもの、字幕出現の頻度に基づくもの、ユーザプロファイルに基づくものの３つの再生区間管理情報を保持するものとしているが、必要なもののみ選択して保持することとしてもよい。
１つの番組について、３つの再生区間管理情報を保持するものとすれば、番組に対応する情報種別が変更になった場合に即時対応でき、一方、１つの番組について、情報種別に示された再生区間管理情報のみを保持するものとすれば、情報を記憶するために必要な記憶容量を削減することができる。
【０１５９】
（５）本実施形態では、１つの番組に対し、１つの情報種別に対応する再生区間管理情報を用いているが、複数用いてもよい。
この場合は、複数の再生区間管理テーブルの重要度を単純に比較して加算等の計算をしてもよいし、ジャンルによって重要となる再生区間管理テーブルの数値データには、重みをつけて計算してもよい。
【０１６０】
（６）再生区間管理情報に基づき、重要度順或いは時系列順という条件に沿って区間再生順を決定しているが、条件は前記重要度順、時系列順に限るものではない。
例えば、対象となる再生区間管理情報の重要度がある一定以上の値を持つ再生区間を再生するという条件であってもよい。
（７）図３０のステップＳ１１０８における区間再生順の決定方法を、図３４にて示す流れ図を用いて説明する。
【０１６１】
ここでは、ステップＳ１１０８の動作を、決定処理として、その動作の詳細を説明する。
決定部１２０７は、図３０にて示すステップＳ１１０６にて取得した再生ルール情報に含まれる再生順序を取得する（ステップＳ１２００）。
決定部１２０７は、取得した再生順序が重要度順であるか否かを判断する（ステップＳ１２０５）。
【０１６２】
重要度順であると判断する場合には（ステップＳ１２０５における「ＹＥＳ」）、決定部１２０７は、図３０にて示すステップＳ１１０７にて取得した再生区間管理情報の内容を、重要度をキーとして降順となるように並び替えを行う（ステップＳ１２１０）。決定部１２０７は、並び替え結果に基づいて、再生順リストを生成する（ステップＳ１２１５）。
【０１６３】
重要度順でないと判断する場合には（ステップＳ１２０５における「ＮＯ」）、決定部１２０７は、図３０にて示すステップＳ１１０７にて取得した再生区間管理情報の内容に基づいて、再生順リストを生成する（ステップＳ１２２０）。
（８）区間ＩＤに対応する区間は、例えば、番組内におけるコーナーである。
また、区間は、コーナーに限定されない。区間は、ある所定の時間間隔（例えば、２０分）で区切られた集まりとしてもよい。例えば、録画時間６０分の録画番組を、２０分間隔で区切ると、３つの区間が形成される。
【０１６４】
３．５  まとめ
近年、映像データ等をＨＤＤ（Ｈａｒｄ  Ｄｉｓｋ  Ｄｒｉｖｅ）等の大容量な記憶装置に記憶する家庭用レコーダ機器の開発が盛んに行われており、機器の性能は著しく向上し、特に、当該記憶装置の記憶容量は急増している。
記憶容量の急増に伴い、記憶できる映像データの数、量が増加するにつれて、記憶装置内の各映像データの内容を簡単に把握するのが、ユーザにとって難しくなっていく。
【０１６５】
記憶装置内の映像データの内容を効率的に把握するための技術として、ダイジェスト再生が知られている。従来の装置は、ダイジェスト再生にあたり、映像データからフレームを取得し、取得した各フレームの元映像データにおける位置を示す映像位置情報と、各フレームの表示時間を示す表示時間情報を持つ特殊再生情報を作成する。
例えば、高速に内容を確認するための倍速再生において、表示画面の画面の変化ができるだけ一定になるように、動きの大きいところは表示時間を長く、動きの小さいところは表示時間を短くするように予め表示時間を定めることにより、長時間分の映像を短時間で見ることができるようになり、よって映像データの内容を短時間で把握することができる。
【０１６６】
しかしながら、従来の装置によりダイジェスト再生を行うと、映像コンテンツの内容を端的に表しているシーンの再生が割愛或いは短縮化され、充分に番組の内容を把握できない場合がある。前記映像コンテンツの内容を端的に表しているシーンは、ニュース、ドラマ、音楽といった番組が属するジャンルによって異なり、例えば、ニュース番組においては、経済、政治、天気予報、スポーツ等の各コーナーの先頭付近の、当該コーナーの内容を表すテロップが表示されるシーンであり、また、ドラマ番組、音楽番組においては、ユーザが最も注力して視聴する所定の出演者が登場しているシーンである。
【０１６７】
本発明の映像再生装置１０２０を用いると、記憶装置に記録されている番組をダイジェスト再生する場合に、映像コンテンツの内容を端的に表すシーンを再生し、効率良く映像データの内容を把握することができる。
４．第２の実施の形態の変形例
以下、本発明に係る第２の実施の形態の変形例を図示例と共に説明する。
【０１６８】
第２の実施の形態では、ダイジェスト再生にてユーザプロファイルを用いる場合には、１つのユーザプロファイルのみを用いたが、本変形例では、複数のユーザプロファイルを用いる場合のダイジェスト再生について、第２の実施の形態と異なる点を中心に説明する。
４．１  映像再生装置２０２０
映像再生装置２０２０は、図３５に示すように、放送受信部２２０１、映像コンテンツ記憶部２２０２、番組情報テーブル生成部２２０３、再生情報受信部２２０４、再生ルール記憶部２２０５、再生区間管理情報記憶部２２０６、決定部２２０７、ユーザ指示取得部２２０８、再生部２２０９及び時計部２２１０から構成されている。
【０１６９】
映像再生装置２０２０は、具体的には、ＣＰＵ、ＲＯＭ、ＲＡＭ、ハードディスク、ネットワークインターフェイス、チューナ、誤り訂正部、トランスポートデコーダ、映像音声復号部等から成るデジタル放送受信機等であり、ＲＯＭには、コンピュータプログラムが記憶され、前記ＣＰＵが、前記コンピュータプログラムに従って動作することにより、その機能を実現する。
【０１７０】
＜放送受信部２２０１＞
放送受信部２２０１は、第２の実施の形態にて示す放送受信部１２０１と同様の動作を行うため、ここでの説明は省略する。
＜映像コンテンツ記憶部２２０２＞
映像コンテンツ記憶部２２０２は、第２の実施の形態にて示す映像コンテンツ記憶部１２０２と同様の動作を行うため、ここでの説明は省略する。
【０１７１】
＜番組情報テーブル生成部２２０３＞
番組情報テーブル生成部２２０３は、第２の実施の形態にて示す番組情報テーブル生成部１２０３と同様の動作を行うため、ここでの説明は省略する。
なお、以降の説明において、必要があれば、記録番組情報テーブルＴ１０００を用いる。
【０１７２】
＜再生情報受信部２２０４＞
再生情報受信部２２０４は、第２の実施の形態にて示す再生情報受信部１２０４と同様の動作を行うため、ここでの説明は省略する。
＜再生ルール記憶部２２０５＞
再生ルール記憶部２２０５は、再生情報受信部２２０４から取得した再生ルール決定テーブル及び再生ルール情報テーブルを記憶する。
【０１７３】
再生ルール記憶部２２０５が記憶している再生ルール決定テーブルは、第２の実施の形態にて示す再生ルール決定テーブルＴ１０１０と同様であるため、ここでの説明は省略する。なお、以降の説明において、必要があれば、再生ルール決定テーブルＴ１０１０を用いる。
図３６において、再生ルール記憶部２２０５が記憶している再生ルール情報テーブルＴ２０２０の一例を示す。
【０１７４】
再生ルール情報テーブルＴ２０２０は、１以上の再生ルール情報から成り、再生ルール情報は、ルールＩＤと、情報種別と、再生順序と、再生時間とから成る情報である。
ルールＩＤ、再生順序及び再生時間は、第２の実施の形態にて示す再生ルール情報テーブルＴ１０２０と同様であるため、説明は省略する。
情報種別は、対応する再生区間管理情報の種別を示す。ダイジェスト再生において、視聴率情報の再生区間管理情報を用いる場合、及び字幕出現情報の再生区間管理情報を用いる場合、情報種別には、第２の実施の形態と同様の内容が記載される。ユーザプロファイルを用いる場合には、特定のユーザプロファイルが記載されるのではなく、ダイジェスト再生にユーザプロファイルを用いることを示す内容（ここでは、単に、「ユーザプロファイル」としている。）が記載される。
【０１７５】
＜再生区間管理情報記憶部２２０６＞
再生区間管理情報記憶部２２０６は、映像コンテンツ記憶部２２０２に記憶している各番組についての再生区間管理情報を記憶する。
再生区間管理情報記憶部２２０６は、第２の実施の形態と同様に、１つの番組に対して、ユーザプロファイル情報の再生区間管理情報と、視聴率情報の再生区間管理情報と、字幕出現情報の再生区間管理情報との３つのタイプの再生区間管理情報を記憶している。
【０１７６】
視聴率情報の再生区間管理情報と、字幕出現情報の再生区間管理情報は、第２の実施の形態と同様の構成であるため、説明は省略する。
以下に、ユーザプロファイル情報の再生区間管理情報について、説明する。なお、ここでは、再生区間管理情報記憶部２２０６は、１つの番組に対して、視聴率情報の再生区間管理情報と、字幕出現情報の再生区間管理情報と、３つのユーザプロファイル情報の再生区間管理情報（つまり、３ユーザそれぞれのユーザプロファイル情報）とを記憶しており、図３７にて、３つのユーザプロファイル情報の再生区間管理情報Ｔ２０３０、Ｔ２０３１、Ｔ２０３２を示す。再生区間管理情報Ｔ２０３０、Ｔ２０３１、Ｔ２０３２の構成は、どれも同じであるため、ここでは、再生区間管理情報Ｔ２０３０について説明する。
【０１７７】
再生区間管理情報Ｔ２０３０は、第２の実施の形態にて示す再生区間管理情報Ｔ１０３０に、ユーザＩＤが加わっている。ユーザＩＤは、映像再生装置２０２０を利用する各ユーザを識別する識別子である。ユーザＩＤは、予めユーザ毎に割り当てられているものとする。
区間ＩＤ、オフセット時間、再生時間及び重要度は、第２の実施の形態と同様であるため、説明は省略する。
【０１７８】
＜決定部２２０７＞
決定部２２０７は、再生ルール決定テーブル、再生ルール情報テーブル、再生区間管理情報を用いて、番組のダイジェスト再生の手順を決定し、再生部２２０９に通知する。
決定部２２０７は、１個以上の重要度の値を入力とし、各ユーザの共通嗜好に対する重要度が高くなる新たな重要度を算出する重要度評価関数を、予め記憶している。重要度評価関数は、一例として、入力された１個以上の重要度の値の総和を算出する関数である。なお、重要度評価関数は、他の算出方法によって、新たな重要度を算出してもよい。
【０１７９】
決定部２２０７は、再生部２２０９より、区間再生順の決定指示を受け付ける。
決定部２２０７は、再生部２２０９より、１以上のユーザＩＤを受け付ける。
決定部２２０７は、ダイジェスト再生を開始している番組数が同時再生数を超えていないかを確認する。なお、同時再生数は、第２の実施の形態と同様に、値「６」とする。
同時再生数を超えている場合、決定部２２０７は、処理を終了する。
【０１８０】
同時再生数を超えていない場合、決定部２２０７は、記録番組情報テーブルＴ１０００中の番組で、ダイジェスト再生すべき番組が残っているか否か判定する。
ダイジェスト再生すべき番組が残っていない場合、決定部２２０７は、処理を終了する。
ダイジェスト再生すべき番組が残っている場合、決定部２２０７は、ダイジェスト再生すべき番組に係る記録番組情報を記録番組情報テーブルＴ１０００から読み出す。
【０１８１】
決定部２２０７は、再生ルール決定テーブルＴ１０１０を参照し、前記読み出した記録番組情報内のジャンルＩＤに対応するルールＩＤを取得し、当該ルールＩＤに対応する再生ルール情報を、再生ルール情報テーブルＴ２０２０から読み出す。
決定部２２０７は、読み出した再生ルール情報に含まれる情報種別が、ユーザプロファイルであるか否かを判断する。
【０１８２】
ユーザプロファイルであると判断する場合には、決定部２２０７は、受け付けた１以上のユーザＩＤのそれぞれに対応するユーザプロファイルの再生区間管理情報を取得する。例えば、ユーザＩＤ「１」及び「２」を受け取った場合には、決定部２２０７は、再生区間管理情報Ｔ２０３０及びＴ２０３１を取得する。
決定部２２０７は、取得した各再生区間管理情報と、重要度評価関数とを用いて、１以上のユーザプロファイルに基づく重要度を、区間ＩＤごとに算出する。例えば、再生区間管理情報Ｔ２０３０及びＴ２０３１を取得した場合には、決定部２２０７は、先ず、再生区間管理情報Ｔ２０３０及びＴ２０３１のそれぞれに示される区間ＩＤ「１」に対応する重要度「３０」及び「１５」と、重要度評価関数とを用いて、「３５」と「１５」の総和を求めることにより、新たな重要度「４５」を算出し、算出した重要度「４５」を区間ＩＤ「１」に対応する重要度とする。以下、同様の方法にて、区間ＩＤ「２」に対応する重要度「８０」、区間ＩＤ「３」に対応する重要度「６０」、及び区間ＩＤ「４」に対応する重要度「３０」を算出する。
【０１８３】
決定部２２０７は、取得した各再生区間管理情報のうち１つの再生区間管理情報と、算出した各重要度とを用いて、１以上のユーザに対する再生区間管理情報を作成する。例えば、決定部２２０７は、ユーザＩＤ「１」及び「２」を受け取った場合には、図３８にて示す再生区間管理情報Ｔ２０３３を作成する。
決定部２２０７は、読み出した再生ルール情報に含まれる「再生順序」と、作成した再生区間管理情報とから、区間再生順を決定し、再生順リストを作成する。
【０１８４】
決定部２２０７は、情報種別がユーザプロファイルでないと判断する場合には、第２の実施の形態と同様に、読み出した再生ルール情報中の情報種別に対応する再生区間管理情報を取得し、取得した再生ルール情報中の「再生順序」と、取得した再生区間管理情報とから、区間再生順を決定する。
＜ユーザ指示取得部２２０８＞
ユーザ指示取得部２２０８は、ユーザがリモコン（図示せず）を用いて指示する内容を取得し、適切な転送先にリモコン指示内容を振り分ける。
【０１８５】
リモコン指示内容が、ダイジェスト再生の指示である場合は、再生部２２０９に対しダイジェスト再生指示を行う。ユーザ指示取得部２２０８は、さらに、ダイジェスト再生による音声映像を視聴する１以上のユーザそれぞれのユーザをＩＤを、リモコンより受け付け、受け付けた１以上のユーザＩＤを再生部２２０９へ出力する。
＜再生部２２０９＞
再生部２２０９は、第２の実施の形態にて示す再生部１２０９と同様に、映像及び音声の再生を行う。
【０１８６】
再生部２２０９は、ユーザ指示取得部２２０８よりダイジェスト再生指示を受け取ると、決定指示を決定部２２０７へ出力し、ユーザ指示取得部２２０８より１以上のユーザＩＤを受け取ると、受け取った１以上のユーザＩＤを決定部２２０７へ出力する。
＜時計部２２１０＞
時計部２２１０は、第２の実施の形態にて示す時計部１２１０と同様の動作を行うため、ここでの説明は省略する。
【０１８７】
４．２  動作
＜ダイジェスト再生の動作＞
以下、映像コンテンツのダイジェスト再生の動作について説明する。
図３９は、映像コンテンツのダイジェスト再生の動作を行うための区間再生順を決定するための手順を示すフローチャートである。
【０１８８】
まず、ユーザは、前記リモコンを用いて、映像再生装置２０２０に対しダイジェスト再生の指示を行い、さらに、１以上のユーザＩＤを送信する。
ユーザ指示取得部２２０８は、前記リモコンにより指示された、当該ダイジェスト再生の指示及び１以上のユーザＩＤＩを取得する（ステップＳ２０００）。
ユーザ指示取得部２２０８は、再生部１２０９に対しダイジェスト再生指示及び１以上のユーザＩＤを出力し、再生部１２０９は、当該ダイジェスト再生指示及び１以上のユーザＩＤを取得する。
【０１８９】
再生部１２０９は、決定部１２０７に対し、区間再生順の決定指示、及び１以上のユーザＩＤを出力し、決定部２２０７は、決定指示及び１以上のユーザＩＤを受け取る。
決定部２２０７は、まず、ダイジェスト再生を開始している番組数が同時再生数を超えていないかを確認する（ステップＳ２００５）。
同時再生数を超えていると判断する場合（ステップＳ２００５における「ＮＯ」）、決定部２２０７は、処理を終了する。
【０１９０】
同時再生数を超えていないと判断する場合（ステップＳ２００５における「ＹＥＳ」）、決定部２２０７は、記録番組情報テーブル中の番組で、ダイジェスト再生すべき番組が残っているか否か判定する（ステップＳ２０１０）。
ダイジェスト再生すべき番組が残っていないと判断する場合（ステップＳ２０１０における「ＮＯ」）、決定部２２０７は、処理を終了する。
【０１９１】
ダイジェスト再生すべき番組が残っていると判断する場合（ステップＳ２０１０における「ＹＥＳ」）、決定部２２０７は、ダイジェスト再生すべき番組に係る記録番組情報を記録番組情報テーブルＴ１０００から読み出す（ステップＳ２０１５）。
決定部２２０７は、再生ルール決定テーブルＴ１０１０を参照し、前記読み出した記録番組情報内のジャンルＩＤに対応するルールＩＤを取得し（ステップＳ２０２０）、当該ルールＩＤに対応する再生ルール情報を、再生ルール情報テーブルＴ１０１０から読み出す（ステップＳ２０２５）。
【０１９２】
決定部２２０７は、再生順序決定処理を行い、区間再生順を決定する（ステップＳ２０３０）。
再生部１２０９は、決定部１２０７が決定した区間再生順に従い、映像コンテンツの再生を行う（ステップＳ２０３５）。
＜再生順序決定処理＞
ここでは、図３９に示すステップＳ２０３０にて行われる再生順序決定処理の動作について、図４０に示す流れ図を用いて説明する。
【０１９３】
決定部２２０７は、図３９におけるステップＳ２０２５にて読み出した再生ルール情報に含まれる情報種別が、ユーザプロファイルであるか否かを判断する（ステップＳ２１００）。
ユーザプロファイルであると判断する場合には（ステップＳ２０００における「ＹＥＳ」）、決定部２２０７は、受け付けた１以上のユーザＩＤのそれぞれに対応するユーザプロファイルの再生区間管理情報を取得する（ステップＳ２１０５）。
【０１９４】
決定部２２０７は、取得した各再生区間管理情報と、重要度評価関数とを用いて、１以上のユーザプロファイルに基づく重要度を、区間ＩＤごとに算出する（ステップＳ２１１０）。
決定部２２０７は、取得した各再生区間管理情報のうち１つの再生区間管理情報と、算出した各重要度とを用いて、１以上のユーザに対する再生区間管理情報を作成する（ステップＳ２１１５）。
【０１９５】
決定部２２０７は、読み出した再生ルール情報に含まれる「再生順序」と、作成した再生区間管理情報とから、区間再生順を決定し、再生順リストを作成する（ステップＳ２１２０）。
決定部２２０７は、情報種別がユーザプロファイルでないと判断する場合には（ステップＳ２０００における「ＮＯ」）、読み出した再生ルール情報中の情報種別に対応する再生区間管理情報を取得し（ステップＳ２１２５）、取得した再生ルール情報中の「再生順序」と、取得した再生区間管理情報とから、区間再生順を決定する（ステップＳ２１３０）。
【０１９６】
４．３  その他の変形例
上記変形例によると、複数のユーザにてダイジェスト再生の音声映像を視聴する際には、各ユーザの嗜好の共通項目に対する重要度を大きくすることができる。
なお、本発明は、本発明の要旨を逸脱しない範囲内において種々変更を加え得ることは勿論であり、以下のような場合も本発明に含まれる。
【０１９７】
（１）区間ＩＤごとに割り当てられる再生時間は、固定的なものとしたが、これに限定されない。重要度の値に応じて、区間ＩＤごとに再生時間を割り当ててもよい。
例えば、再生区間管理情報の各重要度の総和に対する区間ＩＤの重要度の割合と、再生ルール情報に含まれる再生時間とを用いて、各区間ＩＤの再生時間を算出してもよい。
算出例を、図３８にて示す重要度を用いて、以下に示す。なお、再生ルール情報に含まれる再生時間は、１０分とする。
【０１９８】
映像再生装置は、各重要度の総和を算出する。ここでは、「２１５」となる。映像再生装置は、総和「２１５」と、区間ＩＤ「１」の重要度「４５」とを用いて、区間ＩＤ「１」の重要度の割合を算出する。ここでは、「０．２」となる。なお、小数点第２以下を四捨五入する。同様にして、区間ＩＤ「２」の重要度の割合「０．４」及び区間ＩＤ「３」の重要度の割合「０．３」を算出し、最後の区間ＩＤ「４」の重要度の割合は、数「１」から、これまでに算出した全ての数を除いた残りの数「０．１」を割り当てる。
【０１９９】
次に、映像再生装置は、算出した各割合と、再生時間「１０分」を用いて、各区間ＩＤに対する再生時間を算出する。これにより、区間ＩＤ「１」の再生時間は、２分となり、区間ＩＤ「２」の再生時間は、４分となり、区間ＩＤ「３」の再生時間は、３分となり、区間ＩＤ「４」の再生時間は、１分となる。
これにより、複数のユーザが、ダイジェスト再生による音声映像を視聴する場合、各ユーザの嗜好の共通項目に対する重要度が高い区間ＩＤに対応する区間のコンテンツを重点的に視聴することができる。
【０２００】
また、このとき、再生順序は、常に、時系列順であるとしてもよい。
（２）ダイジェスト再生する番組の順番を、以下のようにしてもよい。
映像再生装置は、ユーザ毎の視聴履歴を有しており、ダイジェスト再生を行う際に、視聴履歴を用いて、視聴するユーザが、複数の録画された番組のうち未だ視聴していない番組がある場合には、その番組を選択して、優先的にダイジェスト再生を行う。
【０２０１】
（３）ダイジェスト再生する番組には、特に制限を設けなかったが、以下のような制限を設けてもよい。
映像コンテンツ記憶部に記憶さている録画番組において、ある年齢以下のユーザには視聴させたくない場合には、ペアレンタルロックを付与する。例えば、１５歳以下のユーザには、視聴させたくない録画番組には、録画番組情報に、ペアレンタルロックの情報として数「１５」を付与する。
【０２０２】
また、各ユーザのユーザプロファイル情報には、さらに、ユーザの年齢が記録されている。
映像再生装置は、各ユーザプロファイルに含まれる年齢と、録画番組情報に含まれるペアレンタルロック情報とを用いて、ペアレンタルロック情報にて示される数値以下の年齢のユーザが存在するか否かを判断する。存在すると判断する場合には、付与されたペアレンタルロックは有効であるとし、ペアレンタルロックがかかっている録画番組は、ダイジェスト再生の対象から除外する。映像再生装置は、残りの１以上の録画番組から１つの録画番組を取得して、取得した録画番組のダイジェスト再生を行う。
【０２０３】
（４）重要度評価関数は、一例として、各重要度の総和としたが、これに限定されない。
重要度評価関数は、各ユーザ嗜好の共通項目の重み付けが大きくなるような関数であればよい。
５．変形例
以上、本発明について、第１及び第２の実施の形態と、各実施の形態の変形例とに基づいて説明したが、本発明は上記の第１及び第２の実施の形態と、各実施の形態の変形例に限られないことは勿論である。以下のような場合も本発明に含まれる。
【０２０４】
（１）上記第１の実施の形態と、第２の実施の形態とを組み合わせてもよい。
例えば、第２の実施の形態にて示す区間ＩＤに対応する区間ごとに、第１の実施の形態を適用してもよい。つまり、区間ＩＤに対応する区間ごとに、１以上のせりふ区間を作成し、作成した１以上のせりふ区間と、閾値関数とを用いて、特殊再生を行うせりふ区間を選択する。
【０２０５】
また、他の適用方法として、第１の実施の形態にて示す閾値関数を適用する特徴量を、第２の実施の形態にて示す各区間ＩＤに対応する重要度としてもよい。これにより、閾値関数にて示される閾値を超える重要度をもつ区間のみを、特殊再生により再生することができる。
（２）第１の実施の形態にて示す録画再生装置１００にて特殊再生される音声映像は、ホームネットワークにより接続された機器を用いて表示してもよい。ここで、ホームネットワークとは、１つの宅内にて形成されるネットワークである。
【０２０６】
例えば、録画再生装置１００をホームネットワークのサーバ装置とし、録画再生装置１００と、クライアント装置とがホームネットワークより接続されているとする。また、クライアント装置は、モニタと接続されており、モニタは、クライアント装置から出力される音声映像を表示する。ここで、クライアント装置は、例えば、録画再生装置１００とは異なる他の録画再生装置である。
【０２０７】
このとき、クライアント装置は、ユーザ操作によってリモコンから、所定の基準時間及び特殊再生の種類を受け付ける。クライアント装置は、受け付けた基準時間及び特殊再生の種類を、ホームネットワークを介して録画再生装置１００へ出力する。
録画再生装置１００は、基準時間及び特殊再生の種類を受け取ると、受け取った基準時間及び特殊再生の種類を用いて、閾値関数を決定し、決定した閾値関数と、基準時間に基づいて、特殊再生にて再生される再生区間を決定する。
【０２０８】
録画再生装置１００は、特殊再生にて再生される音声映像を、ホームネットワークを介して、クライアント装置へ出力し、クライアント装置は、録画再生装置１００より出力された音声映像を受信すると、受信した音声映像を、モニタを介して出力することにより、音声映像の再生を行う。
これにより、例えば、録画再生装置１００が宅内の１階にあり、クライアント装置が２階にある場合、ユーザは、２階に設置されたクライアント装置を用いて、１階に設置された録画再生装置１００にて行われる特殊再生の音声映像を視聴することができる。
【０２０９】
また、複数のユーザにて、特殊再生による音声映像を視聴する場合、一部のユーザは、録画再生装置１００を用いて視聴し、残りのユーザは、クライアント装置を用いて視聴することができる。
なお、クライアント装置の一例として、録画再生装置としているが、再生のみを行う装置であってもよい。
【０２１０】
また、上記の例では、ホームネットワークにて接続されたクライアント装置と、モニタとを個別な装置としているが、これに限定されない。ホームネットワークに接続される機器は、上記例にて示すクライアント装置の機能と、モニタの機能とを有する機器であってもよい。例えば、ホームネットワーク接続が可能なテレビ、パーソナルコンピュータ、ＰＤＡ、携帯電話機などである。
【０２１１】
また、第２の実施の形態にて示す映像再生装置１０２０にて特殊再生される音声映像は、ホームネットワークにより接続された機器を用いて表示してもよい。
（３）第１の実施の形態にて示す録画再生装置１００にて特殊再生される音声映像は、インターネット等のネットワークにより、宅外に接続された機器を用いて表示してもよい。
【０２１２】
例えば、録画再生装置１００をサーバ装置とし、録画再生装置１００と、クライアント装置とがインターネットによりネットワーク接続されているとする。また、クライアント装置は、モニタと接続されており、モニタは、クライアント装置から出力される音声映像を表示する。ここで、クライアント装置は、例えば、録画再生装置１００とは異なる他の録画再生装置である。
【０２１３】
このとき、クライアント装置は、ユーザ操作によってリモコンから、所定の基準時間及び特殊再生の種類を受け付ける。クライアント装置は、受け付けた基準時間及び特殊再生の種類を、インターネットを介して録画再生装置１００へ出力する。
録画再生装置１００は、基準時間及び特殊再生の種類を受け取ると、受け取った基準時間及び特殊再生の種類を用いて、閾値関数を決定し、決定した閾値関数と基準時間に基づいて、特殊再生にて再生される再生区間を決定する。
【０２１４】
録画再生装置１００は、特殊再生にて再生される音声映像を、インターネットを介して、クライアント装置へ出力し、クライアント装置は、録画再生装置１００より出力された音声映像を受信すると、受信した音声映像を、モニタを介して出力することにより、音声映像の再生を行う。
これにより、例えば、ユーザは、外出先にて、録画再生装置１００とネットワーク接続されたクライアント装置を用いて、録画再生装置１００にて行われる特殊再生の音声映像を視聴することができる。
【０２１５】
また、複数のユーザにて、特殊再生による音声映像を視聴する場合、一部のユーザは、録画再生装置１００を用いて視聴し、残りのユーザは、録画再生装置１００とネットワーク接続されたクライアント装置を用いて視聴することができる。
なお、クライアント装置の一例として、録画再生装置としているが、再生のみを行う装置であってもよい。
【０２１６】
また、上記の例では、インターネット等によりネットワーク接続されたクライアント装置と、モニタとを個別な装置としているが、これに限定されない。ネットワーク接続される機器は、上記例にて示すクライアント装置の機能と、モニタの機能とを有する機器であってもよい。例えば、ネットワーク接続が可能なテレビ、パーソナルコンピュータ、ＰＤＡ、携帯電話機などである。
【０２１７】
また、第２の実施の形態にて示す映像再生装置１０２０にて特殊再生される音声映像は、インターネット等のネットワークにより接続された機器を用いて表示してもよい。
（４）上記第１及び第２の実施の形態では、音声及び動画像からなるコンテンツに対して、特殊再生を適用したが、これに限定されない。音声のみからなるコンテンツに対して特殊再生を適用してもよいし、動画像からなるコンテンツに対して適用してもよい。
【０２１８】
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０２１９】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０２２０】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（６）上記実施の形態及び上記変形例をそれぞれ組み合わせるとしてもよい。
６．まとめ
上記にて示す特殊再生を行う再生装置は、上記実施形態に内部構成が開示されており、この内部構成に基づき量産することが可能なので、資質において工業上利用することができる。
【０２２１】
本発明は、大量に記憶した映像データの各内容を効率良く把握し、要望する映像データを探し出して再生する映像データ記録再生用途に利用することができる。特に、大容量の記憶装置或いはメモリカード等を備えたＨＤＤレコーダ、ＤＶＤレコーダ、ＰＤＡ、携帯電話機等に好適である。
本発明は、動画コンテンツの要約映像を作成する録画再生装置であって、動画コンテンツに含まれる複数区間のそれぞれが有する特徴量を、動画コンテンツを対象とした再生時間軸において各区間に与えられる閾値と比較する比較手段と、閾値を上回る特徴量をもった区間における動画コンテンツの映像を用いて要約映像の作成を行う作成手段とを備え、前記閾値は、再生時間軸上における前記区間の座標を入力値として、所定の関数に代入することで与えられ、前記関数は、単調増加及び／又は単調減少の性質をもつことを特徴とする録画再生装置である。
【０２２２】
これにより、閾値が単調増加及び／又は単調減少の性質を持つ関数によって与えられるので、時間の経過に伴い閾値を変化させることが可能となり、再生時間軸上のある範囲を重点的に要約映像の範囲として選択することができる。例えば、番組の終盤にかけて単調減少する関数である場合、クライマックス場面を重点的に要約映像に含むことができる。また、番組の前半から後半にかけて単調増加する関数である場合、番組の前半部分を重点的に要約映像に含むことができる。よって、例えば、連続ドラマのクライマックスを楽しみにしているところに、そのクライマックスを見せられて興ざめを招いてしまう等の意に反した要約映像の視聴を回避でき、ユーザの希望に応じた要約映像を作成することができる。
【０２２３】
ここで、前記作成手段による要約映像の作成は、閾値を上回る特徴量をもった区間が２以上あり、それらの総時間長が所定の基準時間を下回る場合に、区間における映像をつなぎあわせることで行われることを特徴とするとしても良い。
ここで、前記関数は数式により表現され、前記録画再生装置は更に、閾値を上回る特徴量をもった２以上の区間の総時間長が所定の基準時間を上回る場合、閾値を上回る特徴量をもった区間の総時間長が短くなるように、数式における定数を増加させる増加手段を備えることを特徴とするとしても良い。
【０２２４】
これにより、所定の基準時間に収まるように要約映像を作成することができる。
ここで、前記関数は数式により表現され、要約映像には複数の種類があり、前記録画再生装置は更に、どの種類の要約映像を希望するかの指定をユーザから受け付ける受付手段と、ユーザからの要約映像の種類の指定に応じて、数式における係数及び／又は定数を増減させる増減手段とを備えることを特徴とするとしても良い。
【０２２５】
これにより、事後的に関数を変化させることができる。
ここで、前記録画再生装置は更に、動画コンテンツの再生時間をｘ軸とし、前記関数の出力値をｙ軸とした座標系に、前記関数のグラフを表示する表示手段を備え、前記受付手段は更に、表示手段が表示したグラフを変化させる操作をユーザから受け付け、前記増減手段による係数及び／又は定数の増減は、ユーザからなされた変化操作に連動することを特徴とするとしても良い。
【０２２６】
これにより、閾値を求めるための関数を視覚で確認することができ、ユーザ自らがその関数を操作し、望みの要約映像を作成することができる。例えば、動画コンテンツのあらすじだけを確認したい場合は、動画コンテンツの前半部分の閾値が小さくなるように関数を調節することにより、その部分だけを要約映像に含むことができる。逆に、動画コンテンツのクライマックスだけを視聴したい場合は、動画コンテンツの後半部分の閾値が小さくなるように調節することにより、クライマックス場面だけの要約映像を作成することができる。
【０２２７】
ここで、前記録画再生装置は更に、前記動画コンテンツについてのサムネイルを、他のサムネイルと共に表示し、動画コンテンツに対応するサムネイルがフォーカス状態になった場合に作成手段が作成した要約映像を再生する再生手段を備えることを特徴とするとしても良い。
これにより、サムネイルの一覧表示から、任意のサムネイルを選択し、要約映像を再生することができる。
【０２２８】
ここで、前記録画再生装置は更に、規定値以上の音声レベルを有しており、第１時間以上第２時間以下の時間長を有する動画コンテンツ中の一区間を、せりふ区間として動画コンテンツから抽出する抽出手段を備え、前記比較手段による比較の対象になるのは、抽出手段が抽出したせりふ区間であることを特徴とするとしても良い。
これにより、動画コンテンツ中のせりふ区間を抽出できる。さらに、従来は動画コンテンツの一部始終を対象として、例えば、音声の強度に対して閾値を与えていたため、会話の途中であっても閾値を下回るとその区間は要約の範囲とはならず、そのため途中で会話が途切れ、次の場面では別の会話の途中から始まるということが起こり得た。しかし、予めせりふ区間を抽出し、その区間の特徴量と閾値を比較しているので、あるせりふ区間の特徴量が閾値を上回った場合は、その区間のせりふは全て要約映像に含まれる。よって、従来のように閾値を変化させることにより生じていた会話の途切れを回避でき、要約映像の内容が理解し易くなる。
【０２２９】
ここで、前記録画再生装置は更に、再生中の要約映像の種類を表示することを特徴とするとしても良い。
これにより、ユーザは再生中の要約映像の種類を知ることができる。
また、本発明は、映像再生装置であって、映像コンテンツと、当該映像コンテンツの属性を示す属性情報とを記憶するコンテンツ記憶手段と、映像コンテンツに関し再生対象とする部分を１以上指定する再生ルールを、１以上記憶する再生ルール記憶手段と、前記属性情報に基づき、１の再生ルールを決定する決定手段と、決定された再生ルールに基づき、映像コンテンツを再生する再生手段とを備える。
【０２３０】
この構成によると、映像再生装置は、映像コンテンツのうち、再生対象でない部分の再生を割愛し、再生対象部分のみを再生ルールに基づいて再生するので、当該映像コンテンツの内容を効率良く把握できる。
ここで、前記映像再生装置は、前記属性情報は、映像コンテンツが属するジャンルを示し、前記決定手段は、前記ジャンルに対応する再生ルールを選択してもよい。
【０２３１】
この構成によれば、ジャンルに適した再生ルールに基づき、映像コンテンツを再生するので、当該映像コンテンツの内容を効率良く把握できる。
ここで、前記映像再生装置は、前記映像コンテンツは１以上の区間から成り、前記再生ルール記憶手段は、前記再生ルールとして、映像コンテンツの各区間について、区間の全再生時間のうち再生対象部分を示す情報と、当該再生対象部分の重要度と、再生順序が重要度の高い順であることを示す情報とを記憶してもよい。
【０２３２】
この構成によれば、映像コンテンツに関し、再生対象でない部分の再生を割愛し、再生対象部分のみを重要度の高い再生対象部分から再生するので、当該映像コンテンツの内容を効率良く把握できる。
ここで、前記映像再生装置は、前記映像コンテンツは、各区間毎の視聴率が計測されており、前記重要度は、放送時の各再生対象部分の視聴率が高いほど、高い値を持つよう、予め設定されていてもよい。
【０２３３】
この構成によれば、映像コンテンツに関し、再生対象でない部分の再生を割愛し、再生対象部分のみを視聴率の高い部分から再生するので、当該映像コンテンツの内容を効率良く把握できる。
ここで、前記映像再生装置は、前記重要度は、所定の出演者が、各再生対象部分に登場している時間が長いほど、値が高くなるよう予め設定されていてもよい。
【０２３４】
この構成によれば、映像コンテンツに関し、再生対象でない部分の再生を割愛し、再生対象部分のみを所定の出演者が出演している時間が長い部分から順次再生するので、当該映像コンテンツの内容を効率良く把握できる。
ここで、前記映像再生装置は、前記重要度は、字幕が出現する時間が長いほど、値が高くなるよう予め設定されていてもよい。
【０２３５】
この構成によれば、映像コンテンツに関し、再生対象でない部分の再生を割愛し、再生対象部分のみを字幕出現時間の長い部分から再生するので、当該映像コンテンツの内容を効率良く把握できる。
ここで、前記映像再生装置は、更に、前記再生ルールを生成する再生ルール生成手段を備えていてもよい。
【０２３６】
この構成によれば、再生ルールが生成できるので、再生ルールを動的にかつ柔軟に活用でき、生成した再生ルールに基づき前記映像コンテンツを効率良く再生することができる。
ここで、前記映像再生装置は、前記再生ルール生成手段は、予め所定の出演者を示す出演者情報を保持しており、前記記憶されている映像コンテンツを予め再生し、再生対象部分において前記出演者が登場する時間が長いほど、再生対象部分に係る重要度を高く設定してもよい。
【０２３７】
この構成によれば、映像コンテンツにおける所定の出演者の登場時間に基づき重要度を決定し、映像コンテンツのうち、再生対象でない部分の再生を割愛し、再生対象部分のみを所定の出演者が出演している時間が長い部分から順次再生するので、当該映像コンテンツの内容を効率良く把握できる。
ここで、前記映像再生装置は、前記再生ルール生成手段は、前記記憶されている映像コンテンツを予め再生し、再生対象部分において字幕の出現時間が長いほど当該再生対象部分に係る重要度を高く設定してもよい。
【０２３８】
この構成によれば、映像コンテンツにおける字幕の出現時間に基づき重要度を決定し、映像コンテンツのうち、再生対象でない部分の再生を割愛し、再生対象部分のみを字幕出現時間の長い部分から順次再生するので、当該映像コンテンツの内容を効率良く把握できる。
本発明の映像再生装置は、単一の半導体装置によって実現されていてもよい。
【０２３９】
この構成によれば、映像コンテンツのうち、再生対象でない部分の再生を割愛し、再生対象部分のみを決定手段で定めた再生順序で順次再生するので、当該映像コンテンツの内容を効率良く把握できる。
また、本発明は、映像再生方法であって、コンテンツ記憶手段と、再生ルール記憶手段と、決定手段と、再生手段とを備える映像再生装置による映像再生方法であって、前記コンテンツ記憶手段により、映像コンテンツと、当該映像コンテンツの属性を示す属性情報とを記憶するコンテンツ記憶ステップと、前記再生ルール記憶手段により、映像コンテンツに関し再生対象とする部分を１以上指定する再生ルールを、１以上記憶する再生ルール記憶ステップと、前記決定手段により、前記属性情報に基づき、１の再生ルールを決定する決定ステップと、前記再生手段により、決定された再生ルールに基づき、映像コンテンツを再生する再生ステップとを含む。
【０２４０】
この構成によれば、映像コンテンツのうち、再生対象でない部分の再生を割愛し、再生対象部分のみを再生ルールに基づいて再生するので、当該映像コンテンツの内容を効率良く把握できる。
また、本発明は、プログラムであって、コンテンツ記憶手段と、再生ルール記憶手段と、決定手段と、再生手段とを備える映像再生装置に適用されるプログラムであって、前記コンテンツ記憶手段により、映像コンテンツと、当該映像コンテンツの属性を示す属性情報とを記憶するコンテンツ記憶ステップと、前記再生ルール記憶手段により、映像コンテンツに関し再生対象とする部分を１以上指定する再生ルールを、１以上記憶する再生ルール記憶ステップと、前記決定手段により、前記属性情報に基づき、１の再生ルールを決定する決定ステップと、前記再生手段により、決定された再生ルールに基づき、映像コンテンツを再生する再生ステップとの各ステップをコンピュータに実行させる。
【０２４１】
この構成によれば、映像コンテンツのうち、再生対象でない部分の再生を割愛し、再生対象部分のみを再生ルールに基づいて再生するので、当該映像コンテンツの内容を効率良く把握できる。
【産業上の利用可能性】
【０２４２】
上記において説明した特殊再生を行う再生装置は、当該再生装置の製造及び販売する産業において、経営的、つまり反復的かつ継続的に利用されうる。
【図面の簡単な説明】
【０２４３】
【図１】録画再生装置１００の構成を示すブロック図である。
【図２】リモートコントローラの概略図である。
【図３】せりふ区間リスト３１の一例を示す図である。
【図４】再生区間の選択の一例を示す図である。
【図５】検索目的再生の場合の再生区間４１と、要約目的再生の場合の再生区間４２を示す図である。
【図６】録画予約画面５１の一例を示す図である。
【図７】プログラムナビ画面６１の一例を示す図である。
【図８】検索用評価関数を上に移動させる場合の動作図である。
【図９】検索用関数を下に移動させる場合の動作図である。
【図１０】検索用関数を時計回りに回転させる場合の動作図である。
【図１１】せりふ区間作成部１３の処理の動作を示す流れ図である。
【図１２】再生区間選択部１５の処理の動作を示す流れ図である。
【図１３】録画再生装置１００Ａの構成を示すブロック図である。
【図１４】ＨＤ１０７ａの構成を示すブロック図である。
【図１５】番組管理テーブルＴ１００のデータ構造の一例を示す図である。
【図１６】履歴管理テーブルＴ１１０、Ｔ１１１、Ｔ１１２及びＴ１１３のデータ構造の一例を示す図である。
【図１７】せりふ区間テーブルＴ１２１、Ｔ１２２及びＴ１２３データの構造の一例を示す図である。
【図１８】せりふ区間テーブルＴ１２４及びＴ１２５データの構造の一例を示す図である。
【図１９】作業用テーブルＴ１３０のデータ構造の一例を示す図である。
【図２０】作業用せりふ区間リストＴ１３５のデータ構造の一例を示す図である。
【図２１】再生区間の選択の一例を示す図である。
【図２２】再生区間選択部１１５にて行われるリスト生成処理の動作を示す流れ図である。図２３へ続く。
【図２３】再生区間選択部１１５にて行われるリスト生成処理の動作を示す流れ図である。図２２から続く。
【図２４】映像記録再生システム１０００の概略構成を示す図である。
【図２５】映像再生装置１０２０の構成を示すブロック図である。
【図２６】記録番組情報テーブルＴ１０００のデータ構造の一例を示す図である。
【図２７】再生ルール決定テーブルＴ１０１０のデータ構造の一例を示す図である。
【図２８】再生ルール情報テーブルＴ１０２０のデータ構造の一例を示す図である。
【図２９】再生区間管理情報Ｔ１０３０、Ｔ１０３１、Ｔ１０３２及びＴ１０３３のデータ構造の一例を示す図である。
【図３０】映像再生装置１０２０が、映像コンテンツのダイジェスト再生の動作を行うための区間再生順を決定するための手順を示す流れ図である。
【図３１】再生順リストＴ１０４０のデータ構造の一例を示す図である。
【図３２】ダイジェスト再生画面の表示装置１０３０への表示例を示す図である。
【図３３】１つの表示映像を表示するダイジェスト再生画面の表示装置１０３０への表示例を示す図である。
【図３４】決定部１２０７にて行われる決定処理の動作を示す流れ図である。
【図３５】映像再生装置２０２０の構成を示すブロック図である。
【図３６】再生ルール情報テーブルＴ２０２０のデータ構造の一例を示す図である。
【図３７】再生区間管理情報Ｔ２０３０、Ｔ２０３１及びＴ１０３２のデータ構造の一例を示す図である。
【図３８】再生区間管理情報Ｔ２０３０及びＴ２０３１とから作成される再生区間管理情報Ｔ２０３３のデータ構造の一例を示す図である。
【図３９】映像再生装置２０２０が、映像コンテンツのダイジェスト再生の動作を行うための区間再生順を決定するための手順を示す流れ図である。
【図４０】決定部２２０７にて行われる再生順序決定処理の動作を示す流れ図である。
【符号の説明】
【０２４４】
１    チューナ
２    ＣＰＵ
３    ＲＯＭ
４    ＲＡＭ
５    ＭＰＥＧエンコーダ
６    ＭＰＥＧデコーダ
７ａ  ＨＤ
７ｂ  ＤＶＤ
７ｃ  ＢＤ
８    ＳＤメモリカード
９    操作指示装置
１０    音声映像記憶部
１１    有音検出部
１２    録画予約制御部
１３    区間作成部
１４    区間記憶部
１５    再生区間選択部
１６    再生部
１７    閾値決定部
１８    ユーザ指示取得部
１９    表示制御部
２０    アプリケーション部
１００    録画再生装置
１０００    映像記録再生システム
１０１０    放送局
１０２０    映像再生装置
１０３０    表示装置
１０４０    サーバ装置
１２０１    放送受信部
１２０２    映像コンテンツ記憶部
１２０３    番組情報テーブル生成部
１２０４    再生情報受信部
１２０５    再生ルール記憶部
１２０６    再生区間管理情報記憶部
１２０７    決定部
１２０８    ユーザ指示取得部
１２０９    再生部
１２１０    時計部
【図１】
0004611209.tif 000002
【図２】
0004611209.tif 000003
【図３】
0004611209.tif 000004
【図４】
0004611209.tif 000005
【図５】
0004611209.tif 000006
【図６】
0004611209.tif 000007
【図７】
0004611209.tif 000008
【図８】
0004611209.tif 000009
【図９】
0004611209.tif 000010
【図１０】
0004611209.tif 000011
【図１１】
0004611209.tif 000012
【図１２】
0004611209.tif 000013
【図１３】
0004611209.tif 000014
【図１４】
0004611209.tif 000015
【図１５】
0004611209.tif 000016
【図１６】
0004611209.tif 000017
【図１７】
0004611209.tif 000018
【図１８】
0004611209.tif 000019
【図１９】
0004611209.tif 000020
【図２０】
0004611209.tif 000021
【図２１】
0004611209.tif 000022
【図２２】
0004611209.tif 000023
【図２３】
0004611209.tif 000024
【図２４】
0004611209.tif 000025
【図２５】
0004611209.tif 000026
【図２６】
0004611209.tif 000027
【図２７】
0004611209.tif 000028
【図２８】
0004611209.tif 000029
【図２９】
0004611209.tif 000030
【図３０】
0004611209.tif 000031
【図３１】
0004611209.tif 000032
【図３２】
0004611209.tif 000033
【図３３】
0004611209.tif 000034
【図３４】
0004611209.tif 000035
【図３５】
0004611209.tif 000036
【図３６】
0004611209.tif 000037
【図３７】
0004611209.tif 000038
【図３８】
0004611209.tif 000039
【図３９】
0004611209.tif 000040
【図４０】
0004611209.tif 000041